(57)【要約】クラウドソーシングによる製品カタログを生成するための方法であって、当該方法は、第１の多数の個人のいずれかが、事前にカタログ化されていない物品に対して、構造化されたデータフォーマットでクラウドソーシングによる製品カタログ内の構造化された多言語のカタログ記載事項を生成することを可能にすることと、第２の多数の個人のいずれかが、クラウドソーシングによる製品カタログ内に存在するあらゆるカタログ記載事項を、カタログ記載事項の少なくとも１つのパラメータを修正することにより修正されたカタログ記載事項を生成するためのテンプレートとして採用することを可能にすることと、を含む。【選択図】図１Ａ
2017520837.tif 000002
【特許請求の範囲】
【請求項１】
クラウドソーシングによる製品カタログを生成するための方法であって、
第１の多数の個人のいずれかが、事前にカタログ化されていない物品に対して、構造化されたデータフォーマットで前記クラウドソーシングによる製品カタログ内の構造化された多言語のカタログ記載事項を生成することを可能にすることと、
第２の多数の個人のいずれかが、前記クラウドソーシングによる製品カタログ内に存在するあらゆるカタログ記載事項を、前記カタログ記載事項の少なくとも１つのパラメータを修正することにより修正されたカタログ記載事項を生成するためのテンプレートとして採用することを可能にすることと、
を含む、前記クラウドソーシングによる製品カタログを生成するための方法。
【請求項２】
前記クラウドソーシングによる製品カタログ内の前記カタログ記載事項を、少なくとも第３の多数の個人によるそれらの使用に基づいて自動的にランク付けすることと、
ランク付けの結果を少なくとも第４の多数の個人が利用することを可能にすることと、
をさらに含む、請求項１に記載のクラウドソーシングによる製品カタログを生成するための方法。
【請求項３】
前記カタログ記載事項のそれぞれに対してユーザ検索可能な一意的なコードを自動的に確立することと、
販売対象の前記対応する製品の出品登録、前記対応する製品の購入、前記対応する製品に関連する情報の取得、および前記対応する製品に関連する最新情報の要求の内の少なくとも１つのために多数の個人による前記ユーザ検索可能な一意的なコードの利用を可能にすることと、
をさらに含む、請求項１または請求項２に記載のクラウドソーシングによる製品カタログを生成するための方法。
【請求項４】
販売対象の製品を出品登録するために、多数の個人が前記カタログ記載事項を採用することを可能にすることと、
前記製品に対して確立された価格、好ましい購入者、および好ましいインターネットのマーケットプレイスの内の少なくとも１つを自動的に確認することと、
前記販売対象の製品を出品登録するために、前記確立された価格、好ましい購入者、および前記好ましいマーケットプレイスの内の少なくとも１つを前記多数の個人に自動的に推奨することと、
をさらに含む、請求項１〜３のいずれかに記載のクラウドソーシングによる製品カタログを生成するための方法。
【請求項５】
前記販売対象の製品に対する確立された価格および好ましいインターネットのマーケットプレイスの内の少なくとも１つを自動的に確認することと、
前記販売対象の製品を、前記確認した価格の内の少なくとも１つで、前記好ましい購入者の内の少なくとも１人に、前記好ましいマーケットプレイスの内の少なくとも１つ内で自動的に出品登録することと、
をさらに含む、請求項１〜４のいずれかに記載のクラウドソーシングによる製品カタログを生成するための方法。
【請求項６】
製品に対応する前記クラウドソーシングによる製品カタログのあらゆるカタログ記載事項を多数の個人のいずれかが採用することを可能にすることであって、
前記製品の購入、
前記製品の検索、
前記製品に関連する需要に関するアラートの受信、および、
多数のマーケットプレイスに亘る製品の入手可能性に関するアラートの受信
の内の少なくとも１つのために可能にすることと、
前記各製品に対する確立された価格および好ましいインターネットのマーケットプレイスの内の少なくとも１つを自動的に確認することと、
前記確立された価格および好ましいマーケットプレイスの内の少なくとも１つについて、前記多数の個人のいずれかに対して自動的に、前記多数のマーケットプレイスに亘る推奨を行うことであって、
前記製品の購入、
前記製品の検索、
前記製品に関連する需要に関するアラートの受信、および、
前記製品に関連する需要に関するアラートの受信
の内の少なくとも１つのために前記推奨を行うことと、
をさらに含む、請求項１〜５のいずれかに記載のクラウドソーシングによる製品カタログを生成するための方法。
【請求項７】
前記カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にすることと、
前記多数のコンピュータ化されたマーケットプレイスに亘る前記製品に対する許容可能な価格を自動的に確認することと、
製品の入手可能性に関するアラートが、事前に確認した前記製品に対する許容可能な価格を超えない価格を有する製品の入手可能性を示す場合は、自動的に購入処理を実行することと、
をさらに含む、請求項１〜６のいずれかに記載のクラウドソーシングによる製品カタログを生成するための方法。
【請求項８】
前記カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、
前記多数のコンピュータ化されたマーケットプレイスに亘る前記製品に対する好ましい購入者および許容可能な価格の内の少なくとも１つを自動的に確認することと、
前記製品の内の少なくとも１つに対する購入処理を自動的に実行することであって、
製品の需要に関するアラートが、事前に確認した前記製品に対する許容可能な価格以上の価格における前記製品に対する需要を示す場合、および、
事前に規定された基準に合致する前記製品の購入者が特定される場合
の内の少なくとも１つである場合に実行することと、
をさらに含む、請求項１〜７のいずれかに記載のクラウドソーシングによる製品カタログを生成するための方法。
【請求項９】
前記カタログ記載事項に対応する多数の製品のいずれかに関連する製品の需要に関するアラートを、多数の個人のいずれかが要求しかつ受信することを可能にすることと、
多数のコンピュータ化されたマーケットプレイスおよび通信チャンネルの内の少なくとも１つを介して前記製品の需要に関するアラートを発信することと、
前記多数のコンピュータ化されたマーケットプレイスおよび通信チャンネルの内の少なくとも１つを介して、前記多数の個人のいずれかが前記製品の需要に関するアラートに応答することを可能にすることと、
をさらに含む、請求項１〜８のいずれかに記載のクラウドソーシングによる製品カタログを生成するための方法。
【請求項１０】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項９に記載のクラウドソーシングによる製品カタログを生成するための方法。
【請求項１１】
クラウドソーシングによる製品カタログを生成するためのシステムであって、
第１の多数の個人のいずれかが、事前にカタログ化されていない物品に対して、構造化されたデータフォーマットで前記クラウドソーシングによる製品カタログ内の構造化された多言語のカタログ記載事項を生成することを可能にするように動作可能な、クラウドソーシングによる製品カタログの記載事項の生成機能と、
第２の多数の個人のいずれかが、前記クラウドソーシングによる製品カタログ内に存在するあらゆるカタログ記載事項を、前記カタログ記載事項の少なくとも１つのパラメータを修正することにより修正されたカタログ記載事項を生成するためのテンプレートとして採用することを可能にするように動作可能なカタログ記載事項のリサイクル機能と、
を含む、前記クラウドソーシングによる製品カタログを生成するためのシステム。
【請求項１２】
前記クラウドソーシングによる製品カタログ内の前記カタログ記載事項を、少なくとも第３の多数の個人によるそれらの使用に基づいて自動的にランク付けするように動作可能なコンピュータ化された自動ランク付け機能を、
さらに含む、請求項１１に記載のクラウドソーシングによる製品カタログを生成するためのシステム。
【請求項１３】
製品に対応する前記カタログ記載事項のそれぞれに対してユーザ検索可能な一意的なコードを自動的に確立するように動作可能なコンピュータ化されたコード生成機能であって、前記ユーザ検索可能な一意的なコードはそれぞれ、販売対象の対応する製品の出品登録、前記対応する製品の購入、前記対応する製品に関連する情報の取得、および前記対応する製品に関連する最新情報の要求の内の少なくとも１つのために有用である機能を、
さらに含む、請求項１１または請求項１２に記載のクラウドソーシングによる製品カタログを生成するためのシステム。
【請求項１４】
前記カタログ記載事項に対応する製品に対して確立された価格および好ましいインターネットのマーケットプレイスの内の少なくとも１つを自動的に確認するように動作可能なコンピュータ化された市場価格およびマーケットプレイスの確認機能と、
前記販売対象の製品を出品登録するために、前記確立された価格および前記好ましいマーケットプレイスの内の少なくとも１つを多数の個人のいずれかに自動的に推奨するように動作可能なコンピュータ化された推奨生成機能と、
をさらに含む、請求項１１〜１３のいずれかに記載のクラウドソーシングによる製品カタログを生成するためのシステム。
【請求項１５】
前記カタログ記載事項に対応する製品に対して確立された価格、好ましい購入者、および好ましいインターネットのマーケットプレイスの内の少なくとも１つを自動的に確認するように動作可能なコンピュータ化された市場価格およびマーケットプレイスの確認機能と、
前記販売対象の製品を前記確認した価格の内の少なくとも１つで、前記好ましいマーケットプレイスの内の少なくとも１つにおいて自動的に出品登録することの内の少なくとも１つを行うように動作可能なコンピュータ化されたリスト生成機能と、
をさらに含む、請求項１１〜１４のいずれかに記載のクラウドソーシングによる製品カタログを生成するためのシステム。
【請求項１６】
製品に対応する前記クラウドソーシングによる製品カタログのあらゆるカタログ記載事項を多数の個人のいずれかが採用することを可能にするように動作可能なカタログ記載事項利用機能であって、
前記製品の購入、
前記製品の検索、
前記製品に関連する需要に関するアラートの受信、および、
多数のマーケットプレイスに亘る製品の入手可能性に関するアラートの受信
の内の少なくとも１つのための前記カタログ記載事項利用機能と、
前記各製品に対する確立された価格および好ましいインターネットのマーケットプレイスの内の少なくとも１つを自動的に確認するように動作可能なコンピュータ化された価格／マーケットプレイスの確認機能と、
前記確立された価格および好ましいマーケットプレイスの内の少なくとも１つについて、前記多数の個人のいずれかに対して自動的に、前記多数のマーケットプレイスに亘る推奨を行うように動作可能なコンピュータ化された推奨生成機能であって、
前記製品の購入、
前記製品の検索、
前記製品に関連する需要に関するアラートの受信、および、
前記製品に関連する需要に関するアラートの受信
の内の少なくとも１つのための前記推奨生成機能と、
をさらに含む、請求項１１〜１５のいずれかに記載のクラウドソーシングによる製品カタログを生成するためのシステム。
【請求項１７】
前記カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にするように動作可能な製品の入手可能性に関するアラート生成機能と、
前記多数のコンピュータ化されたマーケットプレイスに亘る前記製品に対する許容可能な価格を自動的に確認するように動作可能なコンピュータ化された価格の確認機能と、
前記製品の入手可能性に関するアラートが、事前に確認した前記製品に対する許容可能な価格を超えない価格における購入に対する前記製品の入手可能性を示す場合、前記製品の内の少なくとも１つに対する購入処理を自動的に実行するように動作可能なコンピュータ化された購入機能と、
をさらに含む、請求項１１〜１６のいずれかに記載のクラウドソーシングによる製品カタログを生成するためのシステム。
【請求項１８】
前記カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、
前記多数のコンピュータ化されたマーケットプレイスに亘る前記製品に対する好ましい購入者および許容可能な価格の内の少なくとも１つを自動的に確認するように動作可能なコンピュータ化された価格／好ましい購入者の確認機能と、
前記製品の内の少なくとも１つに対する購入処理を自動的に実行するように動作可能なコンピュータ化された購入機能であって、
製品の需要に関するアラートが、事前に確認した前記製品に対する許容可能な価格以上の価格における前記製品に対する需要を示す場合、および、
事前に規定された基準に合致する前記製品の好ましい購入者が特定される場合
の内の少なくとも１つである場合に動作可能な前記購入機能と、
をさらに含む、請求項１１〜１７のいずれかに記載のクラウドソーシングによる製品カタログを生成するためのシステム。
【請求項１９】
前記カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、
多数のコンピュータ化されたマーケットプレイスおよび通信チャンネルの内の少なくとも１つを介して前記製品の需要に関するアラートを発信するように動作可能なコンピュータ化された製品の需要に関するアラート発信機能と、
前記多数の個人のいずれかが前記多数のコンピュータ化されたマーケットプレイスおよび通信チャンネルの内の少なくとも１つを介して前記製品の需要に関するアラートに応答することを可能にするように動作可能なコンピュータ化された製品の需要に関するアラート利用機能と、
をさらに含む、請求項１１〜１８のいずれかに記載のクラウドソーシングによる製品カタログを生成するためのシステム。
【請求項２０】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項１９に記載のクラウドソーシングによる製品カタログを生成するためのシステム。
【請求項２１】
ランク付けされたクラウドソーシングによる製品カタログを生成するための方法であって、
第１の多数の個人のいずれかが、前記クラウドソーシングによる製品カタログ内の既存のカタログ記載事項をコピーすること、前記クラウドソーシングによる製品カタログ内の既存のカタログ記載事項を修正すること、および前記クラウドソーシングによる製品カタログ内に新たなカタログ記載事項を作成することの内の少なくとも１つによって、前記クラウドソーシングによる製品カタログ内の構造化された多言語のカタログ記載事項を生成することを可能にすることと、
少なくとも第２の多数の個人によるそれらの使用に基づいて、前記クラウドソーシングによる製品カタログ内の前記カタログ記載事項を自動的にランク付けすることと、
を含む、前記ランク付けされたクラウドソーシングによる製品カタログを生成するための方法。
【請求項２２】
前記カタログ記載事項のそれぞれに対してユーザ検索可能な一意的なコードを自動的に確立することと、
販売対象の前記対応する製品の出品登録、前記対応する製品の購入、前記対応する製品に関連する情報の取得、および前記対応する製品に関連する最新情報の要求の内の少なくとも１つのために多数の個人による前記ユーザ検索可能な一意的なコードの利用を可能にすることと、
をさらに含む、請求項２１に記載のランク付けされたクラウドソーシングによる製品カタログを生成するための方法。
【請求項２３】
多数の個人が販売対象の製品を出品登録するために前記カタログ記載事項を採用することを可能にすることと、
かかる製品に対して確立された価格、好ましい購入者、および好ましいインターネットのマーケットプレイスの内の少なくとも１つを自動的に確認することと、
販売対象の製品を出品登録するために、価格、好ましい購入者、および好ましいマーケットプレイスの内の少なくとも１つを前記多数の個人に自動的に推奨することと、
をさらに含む、請求項２１または請求項２２に記載のランク付けされたクラウドソーシングによる製品カタログを生成するための方法。
【請求項２４】
前記販売対象の製品に対する確立された価格、好ましい購入者、および好ましいインターネットのマーケットプレイスの内の少なくとも１つを自動的に確認することと、
前記販売対象の製品を、前記確認した価格の内の少なくとも１つで、前記好ましい購入者の内の少なくとも１人に、前記好ましいマーケットプレイスの内の少なくとも１つ内で自動的に出品登録することと、
をさらに含む、請求項２１〜２３のいずれかに記載のクラウドソーシングによる製品カタログを生成するための方法。
【請求項２５】
製品に対応する前記クラウドソーシングによる製品カタログのあらゆるカタログ記載事項を多数の個人のいずれかが採用することを可能にすることであって、
前記製品の購入、
前記製品の検索、
前記製品に関連する需要に関するアラートの受信、および、
多数のマーケットプレイスに亘る製品の入手可能性に関するアラートの受信
の内の少なくとも１つのために可能にすることと、
前記各製品に対する確立された価格および好ましいインターネットのマーケットプレイスの内の少なくとも１つを自動的に確認することと、
前記確立された価格および好ましいマーケットプレイスの内の少なくとも１つについて、前記多数の個人のいずれかに対して自動的に、前記多数のマーケットプレイスに亘る推奨を行うことであって、
前記製品の購入、
前記製品の検索、
前記製品に関連する需要に関するアラートの受信、および、
前記製品に関連する需要に関するアラートの受信
の内の少なくとも１つのために前記推奨を行うことと、
をさらに含む、請求項２１〜２４のいずれかに記載のクラウドソーシングによる製品カタログを生成するための方法。
【請求項２６】
前記カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にすることと、
前記多数のコンピュータ化されたマーケットプレイスに亘る前記製品に対する許容可能な価格を自動的に確認することと、
製品の入手可能性に関するアラートが、事前に確認した前記製品に対する許容可能な価格を超えない価格を有する製品の入手可能性を示す場合は、自動的に購入処理を実行することと、
をさらに含む、請求項２１〜２５のいずれかに記載のクラウドソーシングによる製品カタログを生成するための方法。
【請求項２７】
前記カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、
前記多数のコンピュータ化されたマーケットプレイスに亘る前記製品に対する好ましい購入者および許容可能な価格の内の少なくとも１つを自動的に確認することと、
前記製品の内の少なくとも１つに対する購入処理を自動的に実行することであって、
製品の需要に関するアラートが、事前に確認した前記製品に対する許容可能な価格以上の価格における前記製品に対する需要を示す場合、および、
事前に規定された基準に合致する前記製品の購入者が特定される場合
の内の少なくとも１つである場合に実行することと、
をさらに含む、請求項２１〜２６のいずれかに記載のクラウドソーシングによる製品カタログを生成するための方法。
【請求項２８】
前記カタログ記載事項に対応する多数の製品のいずれかに関連する製品の需要に関するアラートを、多数の個人のいずれかが要求しかつ受信することを可能にすることと、
多数のコンピュータ化されたマーケットプレイスおよび通信チャンネルの内の少なくとも１つを介して前記製品の需要に関するアラートを発信することと、
前記多数のコンピュータ化されたマーケットプレイスおよび通信チャンネルの内の少なくとも１つを介して、前記多数の個人のいずれかが前記製品の需要に関するアラートに応答することを可能にすることと、
をさらに含む、請求項２１〜２７のいずれかに記載のクラウドソーシングによる製品カタログを生成するための方法。
【請求項２９】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項２８に記載のクラウドソーシングによる製品カタログを生成するための方法。
【請求項３０】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも１つを生成するために採用されるように構成されている、請求項１〜１０および請求項２１〜２９のいずれかに記載のクラウドソーシングによる製品カタログを生成するための方法。
【請求項３１】
ランク付けされたクラウドソーシングによる製品カタログを生成するためのシステムであって、
第１の多数の個人のいずれかが、前記クラウドソーシングによる製品カタログ内の既存のカタログ記載事項をコピーすること、前記クラウドソーシングによる製品カタログ内の既存のカタログ記載事項を修正すること、および前記クラウドソーシングによる製品カタログ内に新たなカタログ記載事項を作成することの内の少なくとも１つによって、前記クラウドソーシングによる製品カタログ内の構造化された多言語のカタログ記載事項を生成することを可能にするように動作可能なクラウドソーシングによる製品カタログ記載事項の生成機能と、
前記クラウドソーシングによる製品カタログ内の前記カタログ記載事項を、少なくとも第２の多数の個人によるそれらの使用に基づいて自動的にランク付けするように動作可能なコンピュータ化された自動ランク付け機能と、
を含む、前記ランク付けされたクラウドソーシングによる製品カタログを生成するためのシステム。
【請求項３２】
前記カタログ記載事項のそれぞれに対してユーザ検索可能な一意的なコードを自動的に確立するように動作可能なコンピュータ化されたコード生成機能を、
さらに含む、請求項３１に記載のランク付けされたクラウドソーシングによる製品カタログを生成するためのシステム。
【請求項３３】
前記カタログ記載事項に対応する製品に対して確立された価格、好ましい購入者、および好ましいインターネットのマーケットプレイスの内の少なくとも１つを自動的に確認するように動作可能なコンピュータ化された市場価格およびマーケットプレイスの確認機能と、
前記販売対象の製品を出品登録するために、前記確立された価格、前記好ましい購入者、および前記好ましいマーケットプレイスの内の少なくとも１つを多数の個人のいずれかに自動的に推奨するように動作可能なコンピュータ化された推奨生成機能と、
をさらに含む、請求項３１または請求項３２に記載のランク付けされたクラウドソーシングによる製品カタログを生成するためのシステム。
【請求項３４】
前記カタログ記載事項に対応する製品に対して確立された価格、好ましい購入者、および好ましいインターネットのマーケットプレイスの内の少なくとも１つを自動的に確認するように動作可能なコンピュータ化された市場価格およびマーケットプレイスの確認機能と、
前記販売対象の製品を前記確認した価格の内の少なくとも１つで、前記好ましいマーケットプレイスの内の少なくとも１つにおいて自動的に出品登録することの内の少なくとも１つを行うように動作可能なコンピュータ化されたリスト生成機能と、
をさらに含む、請求項３１〜３３のいずれかに記載のクラウドソーシングによる製品カタログを生成するためのシステム。
【請求項３５】
製品に対応する前記クラウドソーシングによる製品カタログのあらゆるカタログ記載事項を多数の個人のいずれかが採用することを可能にするように動作可能なカタログ記載事項利用機能であって、
前記製品の購入、
前記製品の検索、
前記製品に関連する需要に関するアラートの受信、および、
多数のマーケットプレイスに亘る製品の入手可能性に関するアラートの受信
の内の少なくとも１つのための前記カタログ記載事項利用機能と、
前記各製品に対する確立された価格および好ましいインターネットのマーケットプレイスの内の少なくとも１つを自動的に確認するように動作可能なコンピュータ化された価格／マーケットプレイスの確認機能と、
前記確立された価格および好ましいマーケットプレイスの内の少なくとも１つについて、前記多数の個人のいずれかに対して自動的に、前記多数のマーケットプレイスに亘る推奨を行うように動作可能なコンピュータ化された推奨生成機能であって、
前記製品の購入、
前記製品の検索、
前記製品に関連する需要に関するアラートの受信、および、
前記製品に関連する需要に関するアラートの受信
の内の少なくとも１つのための前記推奨生成機能と、
をさらに含む、請求項３１〜３４のいずれかに記載のクラウドソーシングによる製品カタログを生成するためのシステム。
【請求項３６】
前記カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にするように動作可能な製品の入手可能性に関するアラート生成機能と、
前記多数のコンピュータ化されたマーケットプレイスに亘る前記製品に対する許容可能な価格を自動的に確認するように動作可能なコンピュータ化された価格の確認機能と、
製品の入手可能性に関するアラートが、事前に確認した前記製品に対する許容可能な価格を超えない価格における購入に対する前記製品の入手可能性を示す場合、前記製品の内の少なくとも１つに対する購入処理を自動的に実行するように動作可能なコンピュータ化された購入機能と、
をさらに含む、請求項３１〜３５のいずれかに記載のクラウドソーシングによる製品カタログを生成するためのシステム。
【請求項３７】
前記カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、
前記多数のコンピュータ化されたマーケットプレイスに亘る前記製品に対する好ましい購入者および許容可能な価格の内の少なくとも１つを自動的に確認するように動作可能なコンピュータ化された価格／好ましい購入者の確認機能と、
前記製品の内の少なくとも１つに対する購入処理を自動的に実行するように動作可能なコンピュータ化された購入機能であって、
製品の需要に関するアラートが、事前に確認した前記製品に対する許容可能な価格以上の価格における前記製品に対する需要を示す場合、および、
事前に規定された基準に合致する前記製品の好ましい購入者が特定される場合
の内の少なくとも１つである場合に動作可能な前記購入機能と、
をさらに含む、請求項３１〜３６のいずれかに記載のクラウドソーシングによる製品カタログを生成するためのシステム。
【請求項３８】
前記カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、
多数のコンピュータ化されたマーケットプレイスおよび通信チャンネルの内の少なくとも１つを介して前記製品の需要に関するアラートを発信するように動作可能なコンピュータ化された製品の需要に関するアラート発信機能と、
前記多数の個人のいずれかが前記多数のコンピュータ化されたマーケットプレイスおよび通信チャンネルの内の少なくとも１つを介して前記製品の需要に関するアラートに応答することを可能にするように動作可能なコンピュータ化された製品の需要に関するアラート利用機能と、
をさらに含む、請求項３１〜３７のいずれかに記載のクラウドソーシングによる製品カタログを生成するためのシステム。
【請求項３９】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項３８に記載のクラウドソーシングによる製品カタログを生成するためのシステム。
【請求項４０】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも１つを生成するために採用されるように構成されている、請求項１１〜２０および請求項３１〜３９のいずれかに記載のクラウドソーシングによる製品カタログを生成するためのシステム。
【請求項４１】
コード化されたクラウドソーシングによる製品カタログを生成するための方法であって、
多数の個人が、それぞれ製品に対応している、前記クラウドソーシングによる製品カタログ内の構造化された多言語のカタログ記載事項を生成することを可能にすることと、
前記カタログ記載事項のそれぞれに対してユーザ検索可能な一意的なコードを自動的に確立することと、
販売対象の前記対応する製品の出品登録、前記対応する製品の購入、前記対応する製品に関連する情報の取得、および前記対応する製品に関連する最新情報の要求の内の少なくとも１つのために多数の個人による前記ユーザ検索可能な一意的なコードの利用を可能にすることと、
を含む、前記コード化されたクラウドソーシングによる製品カタログを生成するための方法。
【請求項４２】
多数の個人が販売対象の製品を出品登録するために前記カタログ記載事項を採用することを可能にすることと、
前記製品に対して確立された価格、好ましい購入者、および好ましいインターネットのマーケットプレイスの内の少なくとも１つを自動的に確認することと、
前記販売対象の製品を出品登録するために、前記確立された価格、好ましい購入者、および前記好ましいマーケットプレイスの内の少なくとも１つを前記多数の個人に自動的に推奨することと、
をさらに含む、請求項４１に記載のコード化されたクラウドソーシングによる製品カタログを生成するための方法。
【請求項４３】
前記販売対象の製品に対する確立された価格および好ましいインターネットのマーケットプレイスの内の少なくとも１つを自動的に確認することと、
前記販売対象の製品を、前記確認した価格の内の少なくとも１つで、前記好ましい購入者の内の少なくとも１人に、前記好ましいマーケットプレイスの内の少なくとも１つ内で自動的に出品登録することと、
をさらに含む、請求項４１または請求項４２に記載のクラウドソーシングによる製品カタログを生成するための方法。
【請求項４４】
製品に対応する前記クラウドソーシングによる製品カタログのあらゆるカタログ記載事項を多数の個人のいずれかが採用することを可能にすることであって、
前記製品の購入、
前記製品の検索、
前記製品に関連する需要に関するアラートの受信、および、
多数のマーケットプレイスに亘る製品の入手可能性に関するアラートの受信の内の少なくとも１つのために可能にすることと、
前記各製品に対する確立された価格および好ましいインターネットのマーケットプレイスの内の少なくとも１つを自動的に確認することと、
前記確立された価格および好ましいマーケットプレイスの内の少なくとも１つについて、前記多数の個人のいずれかに対して自動的に、前記多数のマーケットプレイスに亘る推奨を行うことであって、
前記製品の購入、
前記製品の検索、
前記製品に関連する需要に関するアラートの受信、および、
前記製品に関連する需要に関するアラートの受信
の内の少なくとも１つのために前記推奨を行うことと、
をさらに含む、請求項４１〜４３のいずれかに記載のクラウドソーシングによる製品カタログを生成するための方法。
【請求項４５】
前記カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にすることと、
前記多数のコンピュータ化されたマーケットプレイスに亘る前記製品に対する許容可能な価格を自動的に確認することと、
製品の入手可能性に関するアラートが、事前に確認した前記製品に対する許容可能な価格を超えない価格を有する製品の入手可能性を示す場合は、自動的に購入処理を実行することと、
をさらに含む、請求項４１〜４４のいずれかに記載のクラウドソーシングによる製品カタログを生成するための方法。
【請求項４６】
前記カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、
前記多数のコンピュータ化されたマーケットプレイスに亘る前記製品に対する好ましい購入者および許容可能な価格の内の少なくとも１つを自動的に確認することと、
前記製品の内の少なくとも１つに対する購入処理を自動的に実行することであって、
製品の需要に関するアラートが、事前に確認した前記製品に対する許容可能な価格以上の価格における前記製品に対する需要を示す場合と、
事前に規定された基準に合致する前記製品の購入者が特定される場合の内の少なくとも１つである場合に実行することと、
をさらに含む、請求項４１〜４５のいずれかに記載のクラウドソーシングによる製品カタログを生成するための方法。
【請求項４７】
前記カタログ記載事項に対応する多数の製品のいずれかに関連する製品の需要に関するアラートを、多数の個人のいずれかが要求しかつ受信することを可能にすることと、
多数のコンピュータ化されたマーケットプレイスおよび通信チャンネルの内の少なくとも１つを介して前記製品の需要に関するアラートを発信することと、
前記多数のコンピュータ化されたマーケットプレイスおよび通信チャンネルの内の少なくとも１つを介して、前記多数の個人のいずれかが前記製品の需要に関するアラートに応答することを可能にすることと、
をさらに含む、請求項４１〜４６のいずれかに記載のクラウドソーシングによる製品カタログを生成するための方法。
【請求項４８】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項４７に記載のクラウドソーシングによる製品カタログを生成するための方法。
【請求項４９】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも１つを生成するために採用されるように構成されている、請求項４１〜４８のいずれかに記載のクラウドソーシングによる製品カタログを生成するための方法。
【請求項５０】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも２つを生成するために採用されるように構成されている、請求項１〜１０、請求項２１〜３０および請求項４０〜４９のいずれかに記載のクラウドソーシングによる製品カタログを生成するための方法。
【請求項５１】
コード化されたクラウドソーシングによる製品カタログを生成するためのシステムであって、
多数の個人が、それぞれ製品に対応している、前記クラウドソーシングによる製品カタログ内の構造化された多言語のカタログ記載事項を生成することを可能にするように動作可能なクラウドソーシングによる製品カタログ記載事項の生成機能と、
製品に対応している前記カタログ記載事項のそれぞれに対してユーザ検索可能な一意的なコードを自動的に確立するように動作可能なコンピュータ化されたコード生成機能と、を含み、前記ユーザ検索可能な一意的なコードはそれぞれ、販売対象の前記対応する製品の出品登録、前記対応する製品の購入、前記対応する製品に関連する情報の取得、および前記対応する製品に関連する最新情報の要求の内の少なくとも１つのために有用である、
前記コード化されたクラウドソーシングによる製品カタログを生成するためのシステム。
【請求項５２】
前記カタログ記載事項に対応している製品に対して確立された価格および好ましいインターネットのマーケットプレイスの内の少なくとも１つを自動的に確認するように動作可能なコンピュータ化された市場価格およびマーケットプレイスの確認機能と、
前記販売対象の製品を出品登録するために前記確立された価格および前記好ましいマーケットプレイスの内の少なくとも１つについて、多数の個人のいずれかに対して自動的に推奨を行うように動作可能なコンピュータ化された推奨生成機能と、
をさらに含む、請求項５１に記載のコード化されたクラウドソーシングによる製品カタログを生成するためのシステム。
【請求項５３】
前記カタログ記載事項に対応している製品に対して確立された価格、好ましい購入者、および好ましいインターネットのマーケットプレイスの内の少なくとも１つを自動的に確認するように動作可能なコンピュータ化された市場価格およびマーケットプレイスの確認機能と、
前記販売対象の製品を前記確認した価格の内の少なくとも１つで、前記好ましいマーケットプレイスの内の少なくとも１つにおいて自動的に出品登録することの内の少なくとも１つを行うように動作可能なコンピュータ化されたリスト生成機能と、
をさらに含む、請求項５１または請求項５２に記載のクラウドソーシングによる製品カタログを生成するためのシステム。
【請求項５４】
製品に対応する前記クラウドソーシングによる製品カタログのあらゆるカタログ記載事項を多数の個人のいずれかが採用することを可能にするように動作可能なカタログ記載事項利用機能であって、
前記製品の購入、
前記製品の検索、
前記製品に関連する需要に関するアラートの受信、および、
多数のマーケットプレイスに亘る製品の入手可能性に関するアラートの受信の内の少なくとも１つのための前記カタログ記載事項利用機能と、
前記各製品に対する確立された価格および好ましいインターネットのマーケットプレイスの内の少なくとも１つを自動的に確認するように動作可能なコンピュータ化された価格／マーケットプレイスの確認機能と、
前記確立された価格および好ましいマーケットプレイスの内の少なくとも１つについて、前記多数の個人のいずれかに対して自動的に、前記多数のマーケットプレイスに亘る推奨を行うように動作可能なコンピュータ化された推奨生成機能であって、
前記製品の購入、
前記製品の検索、
前記製品に関連する需要に関するアラートの受信、および、
前記製品に関連する需要に関するアラートの受信
の内の少なくとも１つのための前記推奨生成機能と、
をさらに含む、請求項５１〜５３のいずれかに記載のクラウドソーシングによる製品カタログを生成するためのシステム。
【請求項５５】
前記カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にするように動作可能な製品の入手可能性に関するアラート生成機能と、
前記多数のコンピュータ化されたマーケットプレイスに亘る前記製品に対する許容可能な価格を自動的に確認するように動作可能なコンピュータ化された価格の確認機能と、
製品の入手可能性に関するアラートが、事前に確認した前記製品に対する許容可能な価格を超えない価格における購入に対する前記製品の入手可能性を示す場合、前記製品の内の少なくとも１つに対する購入処理を自動的に実行するように動作可能なコンピュータ化された購入機能と、
をさらに含む、請求項５１〜５４のいずれかに記載のクラウドソーシングによる製品カタログを生成するためのシステム。
【請求項５６】
前記カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、
前記多数のコンピュータ化されたマーケットプレイスに亘る前記製品に対する好ましい購入者および許容可能な価格の内の少なくとも１つを自動的に確認するように動作可能なコンピュータ化された価格／好ましい購入者の確認機能と、
前記製品の内の少なくとも１つに対する購入処理を自動的に実行するように動作可能なコンピュータ化された購入機能であって、
製品の需要に関するアラートが、事前に確認した前記製品に対する許容可能な価格以上の価格における前記製品に対する需要を示す場合、および、
事前に規定された基準に合致する前記製品の好ましい購入者が特定される場合
の内の少なくとも１つである場合に動作可能な前記購入機能と、
をさらに含む、請求項５１〜５５のいずれかに記載のクラウドソーシングによる製品カタログを生成するためのシステム。
【請求項５７】
前記カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、
多数のコンピュータ化されたマーケットプレイスおよび通信チャンネルの内の少なくとも１つを介して前記製品の需要に関するアラートを発信するように動作可能なコンピュータ化された製品の需要に関するアラート発信機能と、
前記多数の個人のいずれかが前記多数のコンピュータ化されたマーケットプレイスおよび通信チャンネルの内の少なくとも１つを介して前記製品の需要に関するアラートに応答することを可能にするように動作可能なコンピュータ化された製品の需要に関するアラート利用機能と、
をさらに含む、請求項５１〜５６のいずれかに記載のクラウドソーシングによる製品カタログを生成するためのシステム。
【請求項５８】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項５７に記載のクラウドソーシングによる製品カタログを生成するためのシステム。
【請求項５９】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも１つを生成するために採用されるように構成されている、請求項５１〜５８のいずれかに記載のクラウドソーシングによる製品カタログを生成するためのシステム。
【請求項６０】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも２つを生成するために採用されるように構成されている、請求項１１〜２０、請求項３１〜４０および請求項５１〜５９のいずれかに記載のクラウドソーシングによる製品カタログを生成するためのシステム。
【請求項６１】
販売対象の製品を出品登録するためのクラウドソーシングによるカタログを採用するための方法であって、
多数の個人が、前記クラウドソーシングによる製品カタログ内に、それぞれ製品に対応している、構造化された多言語のカタログ記載事項を生成することを可能にすることと、
前記製品に対して確立された価格および好ましいインターネットのマーケットプレイスの内の少なくとも１つを自動的に確認することと、
前記販売対象の製品を出品登録するために、前記確立された価格および前記好ましいマーケットプレイスの内の少なくとも１つを多数の個人のいずれかに自動的に推奨することと、
を含む、前記販売対象の製品を出品登録するためのクラウドソーシングによるカタログを採用するための方法。
【請求項６２】
多数の個人が販売対象の製品を出品登録するために前記カタログ記載事項を採用することを可能にすることと、
前記販売対象の製品に対する確立された価格および好ましいインターネットのマーケットプレイスの内の少なくとも１つを自動的に確認することと、
前記販売対象の製品を、前記確認した価格の内の少なくとも１つで、前記好ましい購入者の内の少なくとも１人に、前記好ましいマーケットプレイスの内の少なくとも１つ内で自動的に出品登録することと、
をさらに含む、請求項６１に記載のクラウドソーシングによる製品カタログを生成するための方法。
【請求項６３】
多数の個人が販売対象の製品を出品登録するために前記カタログ記載事項を採用することを可能にすることと、
前記製品に対して確立された価格、好ましい購入者、および好ましいインターネットのマーケットプレイスの内の少なくとも１つを自動的に確認することと、
前記販売対象の製品を出品登録するために、前記確立された価格、好ましい購入者、および前記好ましいマーケットプレイスの内の少なくとも１つを前記多数の個人に自動的に推奨することと、
をさらに含む、請求項６１または請求項６２に記載のクラウドソーシングによる製品カタログを生成するための方法。
【請求項６４】
前記カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にすることと、
前記多数のコンピュータ化されたマーケットプレイスに亘る前記製品に対する許容可能な価格を自動的に確認することと、
製品の入手可能性に関するアラートが、事前に確認した前記製品に対する許容可能な価格を超えない価格を有する製品の入手可能性を示す場合は、自動的に購入処理を実行することと、
をさらに含む、請求項６１〜６３のいずれかに記載のクラウドソーシングによる製品カタログを生成するための方法。
【請求項６５】
前記カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、
前記多数のコンピュータ化されたマーケットプレイスに亘る前記製品に対する好ましい購入者および許容可能な価格の内の少なくとも１つを自動的に確認することと、
前記製品の内の少なくとも１つに対する購入処理を自動的に実行することであって、
製品の需要に関するアラートが、事前に確認した前記製品に対する許容可能な価格以上の価格における前記製品に対する需要を示す場合と、
事前に規定された基準に合致する前記製品の購入者が特定される場合の内の少なくとも１つである場合に実行することと、
をさらに含む、請求項６１〜６４のいずれかに記載のクラウドソーシングによる製品カタログを生成するための方法。
【請求項６６】
前記カタログ記載事項に対応する多数の製品のいずれかに関連する製品の需要に関するアラートを、多数の個人のいずれかが要求しかつ受信することを可能にすることと、
多数のコンピュータ化されたマーケットプレイスおよび通信チャンネルの内の少なくとも１つを介して前記製品の需要に関するアラートを発信することと、
前記多数のコンピュータ化されたマーケットプレイスおよび通信チャンネルの内の少なくとも１つを介して、前記多数の個人のいずれかが前記製品の需要に関するアラートに応答することを可能にすることと、
をさらに含む、請求項６１〜６６のいずれかに記載のクラウドソーシングによる製品カタログを生成するための方法。
【請求項６７】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項６６に記載のクラウドソーシングによる製品カタログを生成するための方法。
【請求項６８】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも１つを生成するために採用されるように構成されている、請求項６１〜６７のいずれかに記載のクラウドソーシングによる製品カタログを生成するための方法。
【請求項６９】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも２つを生成するために採用されるように構成されている、請求項６１〜６９のいずれかに記載のクラウドソーシングによる製品カタログを生成するための方法。
【請求項７０】
前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
製品情報に対する要求、
情報の投稿、
製品の需要の最新情報の要求、および、
製品の入手可能性の最新情報
の内の少なくとも３つを生成するために使用される、請求項１〜１０、請求項２１〜３０、請求項４１〜５０および請求項６１〜６９のいずれかに記載のクラウドソーシングによる製品カタログを生成するための方法。
【請求項７１】
販売対象の製品を出品登録するためのクラウドソーシングによるカタログを採用するためのシステムであって、
多数の個人が、前記クラウドソーシングによる製品カタログ内に、それぞれ製品に対応している、構造化された多言語のカタログ記載事項を生成することを可能にするように動作可能なクラウドソーシングによる製品カタログ記載事項生成機能と、
前記製品に対して確立された価格および好ましいインターネットのマーケットプレイスの内の少なくとも１つを自動的に確認するように動作可能なコンピュータ化された市場価格およびマーケットプレイスの確認機能と、
前記販売対象の製品を出品登録するために、前記確立された価格および前記好ましいマーケットプレイスの内の少なくとも１つを多数の個人のいずれかに自動的に推奨するように動作可能なコンピュータ化された推奨生成機能と、
を含む、前記販売対象の製品を出品登録するためのクラウドソーシングによるカタログを採用するためのシステム。
【請求項７２】
前記カタログ記載事項に対応する製品に対して確立された価格、好ましい購入者、および好ましいインターネットのマーケットプレイスの内の少なくとも１つを自動的に確認するように動作可能なコンピュータ化された市場価格およびマーケットプレイスの確認機能と、
前記販売対象の製品を前記確認した価格の内の少なくとも１つで、前記好ましいマーケットプレイスの内の少なくとも１つにおいて自動的に出品登録することの内の少なくとも１つを行うように動作可能なコンピュータ化されたリスト生成機能と、
をさらに含む、請求項７１に記載のクラウドソーシングによる製品カタログを生成するためのシステム。
【請求項７３】
製品に対応する前記クラウドソーシングによる製品カタログのあらゆるカタログ記載事項を多数の個人のいずれかが採用することを可能にするように動作可能なカタログ記載事項利用機能であって、
前記製品の購入、
前記製品の検索、
前記製品に関連する需要に関するアラートの受信、および、
多数のマーケットプレイスに亘る製品の入手可能性に関するアラートの受信の内の少なくとも１つのための前記カタログ記載事項利用機能と、
前記各製品に対する確立された価格および好ましいインターネットのマーケットプレイスの内の少なくとも１つを自動的に確認するように動作可能なコンピュータ化された価格／マーケットプレイスの確認機能と、
前記確立された価格および好ましいマーケットプレイスの内の少なくとも１つについて、前記多数の個人のいずれかに対して自動的に、前記多数のマーケットプレイスに亘る推奨を行うように動作可能なコンピュータ化された推奨生成機能であって、
前記製品の購入、
前記製品の検索、
前記製品に関連する需要に関するアラートの受信、および、
前記製品に関連する需要に関するアラートの受信
の内の少なくとも１つのための前記推奨生成機能と、
をさらに含む、請求項７１または請求項７２に記載のクラウドソーシングによる製品カタログを生成するためのシステム。
【請求項７４】
前記カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にするように動作可能な製品の入手可能性に関するアラート生成機能と、
多数のコンピュータ化されたマーケットプレイスに亘る前記製品に対する許容可能な価格を自動的に確認するように動作可能なコンピュータ化された価格の確認機能と、
製品の入手可能性に関するアラートが、事前に確認した前記製品に対する許容可能な価格を超えない価格における購入に対する前記製品の入手可能性を示す場合、前記製品の内の少なくとも１つに対する購入処理を自動的に実行するように動作可能なコンピュータ化された購入機能と、
をさらに含む、請求項７１〜７３のいずれかに記載のクラウドソーシングによる製品カタログを生成するためのシステム。
【請求項７５】
前記カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、
前記多数のコンピュータ化されたマーケットプレイスに亘る前記製品に対する好ましい購入者および許容可能な価格の内の少なくとも１つを自動的に確認するように動作可能なコンピュータ化された価格／好ましい購入者の確認機能と、
前記製品の内の少なくとも１つに対する購入処理を自動的に実行するように動作可能なコンピュータ化された購入機能であって、
製品の需要に関するアラートが、事前に確認した前記製品に対する許容可能な価格以上の価格における前記製品に対する需要を示す場合、および、
事前に規定された基準に合致する前記製品の好ましい購入者が特定される場合
の内の少なくとも１つである場合に動作可能な前記購入機能と、
をさらに含む、請求項７１〜７４のいずれかに記載のクラウドソーシングによる製品カタログを生成するためのシステム。
【請求項７６】
前記カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、
多数のコンピュータ化されたマーケットプレイスおよび通信チャンネルの内の少なくとも１つを介して前記製品の需要に関するアラートを発信するように動作可能なコンピュータ化された製品の需要に関するアラート発信機能と、
前記多数の個人のいずれかが前記多数のコンピュータ化されたマーケットプレイスおよび通信チャンネルの内の少なくとも１つを介して前記製品の需要に関するアラートに応答することを可能にするように動作可能なコンピュータ化された製品の需要に関するアラート利用機能と、
をさらに含む、請求項７１〜７５のいずれかに記載のクラウドソーシングによる製品カタログを生成するためのシステム。
【請求項７７】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項７６に記載のクラウドソーシングによる製品カタログを生成するためのシステム。
【請求項７８】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも１つを生成するために採用されるように構成されている、請求項７１〜７７のいずれかに記載のクラウドソーシングによる製品カタログを生成するためのシステム。
【請求項７９】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも２つを生成するために採用されるように構成されている、請求項７１〜７８のいずれかに記載のクラウドソーシングによる製品カタログを生成するためのシステム。
【請求項８０】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも３つを生成するために採用されるように構成されている、請求項１１〜２０、請求項３１〜４０、請求項５１〜６０および請求項７１〜７９のいずれかに記載のクラウドソーシングによる製品カタログを生成するためのシステム。
【請求項８１】
販売対象の製品を出品登録するためのクラウドソーシングによる製品カタログを採用するための方法であって、
多数の個人が、前記クラウドソーシングによる製品カタログ内に、それぞれ製品に対応している、構造化された多言語のカタログ記載事項を生成することを可能にすることと、
前記販売対象の製品に対して確立された価格および好ましいインターネットのマーケットプレイスの内の少なくとも１つを自動的に確認することと、
前記販売対象の製品を前記確認した価格の内の少なくとも１つで、前記好ましいマーケットプレイスの内の少なくとも１つにおいて自動的に出品登録することと、
を含む、前記販売対象の製品を出品登録するためのクラウドソーシングによる製品カタログを採用するための方法。
【請求項８２】
製品に対応する前記クラウドソーシングによる製品カタログのあらゆるカタログ記載事項を多数の個人のいずれかが採用することを可能にすることであって、
前記製品の購入、
前記製品の検索、
前記製品に関連する需要に関するアラートの受信、および、
多数のマーケットプレイスに亘る製品の入手可能性に関するアラートの受信の内の少なくとも１つのために可能にすることと、
前記各製品に対する確立された価格および好ましいインターネットのマーケットプレイスの内の少なくとも１つを自動的に確認することと、
前記確立された価格および好ましいマーケットプレイスの内の少なくとも１つについて、前記多数の個人のいずれかに対して自動的に、前記多数のマーケットプレイスに亘る推奨を行うことであって、
前記製品の購入、
前記製品の検索、
前記製品に関連する需要に関するアラートの受信、および、
前記製品に関連する需要に関するアラートの受信
の内の少なくとも１つのために前記推奨を行うことと、
をさらに含む、請求項８１に記載のクラウドソーシングによる製品カタログを生成するための方法。
【請求項８３】
前記カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にすることと、
前記多数のコンピュータ化されたマーケットプレイスに亘る前記製品に対する許容可能な価格を自動的に確認することと、
製品の入手可能性に関するアラートが、事前に確認した前記製品に対する許容可能な価格を超えない価格を有する製品の入手可能性を示す場合は、自動的に購入処理を実行することと、
をさらに含む、請求項８１または請求項８２に記載のクラウドソーシングによる製品カタログを生成するための方法。
【請求項８４】
前記カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、
前記多数のコンピュータ化されたマーケットプレイスに亘る前記製品に対する好ましい購入者および許容可能な価格の内の少なくとも１つを自動的に確認することと、
前記製品の内の少なくとも１つに対する購入処理を自動的に実行することであって、
製品の需要に関するアラートが、事前に確認した前記製品に対する許容可能な価格以上の価格における前記製品に対する需要を示す場合、および、
事前に規定された基準に合致する前記製品の購入者が特定される場合
の内の少なくとも１つである場合に実行することと、
をさらに含む、請求項８１〜８３のいずれかに記載のクラウドソーシングによる製品カタログを生成するための方法。
【請求項８５】
前記カタログ記載事項に対応する多数の製品のいずれかに関連する製品の需要に関するアラートを、多数の個人のいずれかが要求しかつ受信することを可能にすることと、
多数のコンピュータ化されたマーケットプレイスおよび通信チャンネルの内の少なくとも１つを介して前記製品の需要に関するアラートを発信することと、
前記多数のコンピュータ化されたマーケットプレイスおよび通信チャンネルの内の少なくとも１つを介して、前記多数の個人のいずれかが前記製品の需要に関するアラートに応答することを可能にすることと、
をさらに含む、請求項８１〜８４のいずれかに記載のクラウドソーシングによる製品カタログを生成するための方法。
【請求項８６】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項８５に記載のクラウドソーシングによる製品カタログを生成するためのシステム。
【請求項８７】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも１つを生成するために採用されるように構成されている、請求項８１〜８６のいずれかに記載のクラウドソーシングによる製品カタログを生成するための方法。
【請求項８８】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも２つを生成するために採用されるように構成されている、請求項８１〜８６のいずれかに記載のクラウドソーシングによる製品カタログを生成するための方法。
【請求項８９】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも３つを生成するために採用されるように構成されている、請求項８１〜８６のいずれかに記載のクラウドソーシングによる製品カタログを生成するための方法。
【請求項９０】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも４つを生成するために採用されるように構成されている、請求項１〜１０、請求項２１〜３０、請求項４１〜５０、請求項６１〜７０および請求項８１〜８９のいずれかに記載のクラウドソーシングによる製品カタログを生成するための方法。
【請求項９１】
販売対象の製品を出品登録するためのクラウドソーシングによる製品カタログを採用するためのシステムであって、
多数の個人が、前記クラウドソーシングによる製品カタログ内に、それぞれ製品に対応している、構造化された多言語のカタログ記載事項を生成することを可能にするように動作可能なクラウドソーシングによる製品カタログ記載事項生成機能と、
前記販売対象の製品に対して確立された価格および好ましいインターネットのマーケットプレイスの内の少なくとも１つを自動的に確認するように動作可能なコンピュータ化された市場価格およびマーケットプレイスの確認機能と、
前記販売対象の製品を前記確認した価格の内の少なくとも１つで、前記好ましいマーケットプレイスの内の少なくとも１つにおいて自動的に出品登録するように動作可能なコンピュータ化されたリスト生成機能と、
を含む、前記販売対象の製品を出品登録するためのクラウドソーシングによる製品カタログを採用するためのシステム。
【請求項９２】
製品に対応する前記クラウドソーシングによる製品カタログのあらゆるカタログ記載事項を多数の個人のいずれかが採用することを可能にするように動作可能なカタログ記載事項利用機能であって、
前記製品の購入、
前記製品の検索、
前記製品に関連する需要に関するアラートの受信、および、
多数のマーケットプレイスに亘る製品の入手可能性に関するアラートの受信
の内の少なくとも１つのための前記カタログ記載事項利用機能と、
前記各製品に対する確立された価格および好ましいインターネットのマーケットプレイスの内の少なくとも１つを自動的に確認するように動作可能なコンピュータ化された価格／マーケットプレイスの確認機能と、
前記確立された価格および好ましいマーケットプレイスの内の少なくとも１つについて、前記多数の個人のいずれかに対して自動的に、前記多数のマーケットプレイスに亘る推奨を行うように動作可能なコンピュータ化された推奨生成機能であって、
前記製品の購入、
前記製品の検索、
前記製品に関連する需要に関するアラートの受信、および、
前記製品に関連する需要に関するアラートの受信
の内の少なくとも１つのための前記推奨生成機能と、
をさらに含む、請求項９１に記載のクラウドソーシングによる製品カタログを生成するためのシステム。
【請求項９３】
前記カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にするように動作可能な製品の入手可能性に関するアラート生成機能と、
前記多数のコンピュータ化されたマーケットプレイスに亘る前記製品に対する許容可能な価格を自動的に確認するように動作可能なコンピュータ化された価格の確認機能と、
製品の入手可能性に関するアラートが、事前に確認した前記製品に対する許容可能な価格を超えない価格における購入に対する前記製品の入手可能性を示す場合、前記製品の内の少なくとも１つに対する購入処理を自動的に実行するように動作可能なコンピュータ化された購入機能と、
をさらに含む、請求項９１または請求項９２に記載のクラウドソーシングによる製品カタログを生成するためのシステム。
【請求項９４】
前記カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、
前記多数のコンピュータ化されたマーケットプレイスに亘る前記製品に対する好ましい購入者および許容可能な価格の内の少なくとも１つを自動的に確認するように動作可能なコンピュータ化された価格／好ましい購入者の確認機能と、
前記製品の内の少なくとも１つに対する購入処理を自動的に実行するように動作可能なコンピュータ化された購入機能であって、
製品の需要に関するアラートが、事前に確認した前記製品に対する許容可能な価格以上の価格における前記製品に対する需要を示す場合、および、
事前に規定された基準に合致する前記製品の好ましい購入者が特定される場合
の内の少なくとも１つである場合に動作可能な前記購入機能と、
をさらに含む、請求項９１〜９３のいずれかに記載のクラウドソーシングによる製品カタログを生成するためのシステム。
【請求項９５】
前記カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、
多数のコンピュータ化されたマーケットプレイスおよび通信チャンネルの内の少なくとも１つを介して前記製品の需要に関するアラートを発信するように動作可能なコンピュータ化された製品の需要に関するアラート発信機能と、
前記多数の個人のいずれかが前記多数のコンピュータ化されたマーケットプレイスおよび通信チャンネルの内の少なくとも１つを介して前記製品の需要に関するアラートに応答することを可能にするように動作可能なコンピュータ化された製品の需要に関するアラート利用機能と、
をさらに含む、請求項９１〜９４のいずれかに記載のクラウドソーシングによる製品カタログを生成するためのシステム。
【請求項９６】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項９５に記載のクラウドソーシングによる製品カタログを生成するためのシステム。
【請求項９７】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも１つを生成するために採用されるように構成されている、請求項９１〜９６のいずれかに記載のクラウドソーシングによる製品カタログを生成するためのシステム。
【請求項９８】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも２つを生成するために採用されるように構成されている、請求項９１〜９７のいずれかに記載のクラウドソーシングによる製品カタログを生成するためのシステム。
【請求項９９】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも３つを生成するために採用されるように構成されている、請求項９１〜９８のいずれかに記載のクラウドソーシングによる製品カタログを生成するためのシステム。
【請求項１００】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも４つを生成するために採用されるように構成されている、請求項１１〜２０、請求項３１〜４０、請求項５１〜６０、請求項７１〜７９および請求項９１〜９９のいずれかに記載のクラウドソーシングによる製品カタログを生成するためのシステム。
【請求項１０１】
クラウドソーシングによる製品カタログを自動的に採用するための方法であって、
製品に対応する前記クラウドソーシングによる製品カタログのあらゆる構造化された多言語のカタログ記載事項を多数の個人のいずれかが採用することを可能にすることであって、
前記製品の購入、
前記製品の検索、
前記製品に関連する需要に関するアラートの受信、および、
多数のマーケットプレイスに亘る製品の入手可能性に関するアラートの受信
の内の少なくとも１つのために可能にすることと、
前記各製品に対する確立された価格および好ましいインターネットのマーケットプレイスの内の少なくとも１つを自動的に確認することと、
前記確立された価格および好ましいマーケットプレイスの内の少なくとも１つについて、前記多数の個人のいずれかに対して自動的に、前記多数のマーケットプレイスに亘る推奨を行うことであって、
前記製品の購入、
前記製品の検索、
前記製品に関連する需要に関するアラートの受信、および、
前記製品に関連する需要に関するアラートの受信
の内の少なくとも１つのために前記推奨を行うことと、
を含む、前記クラウドソーシングによる製品カタログを自動的に採用するための方法。
【請求項１０２】
前記カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にすることと、
前記多数のコンピュータ化されたマーケットプレイスに亘る前記製品に対する許容可能な価格を自動的に確認することと、
製品の入手可能性に関するアラートが、事前に確認した前記製品に対する許容可能な価格を超えない価格を有する製品の入手可能性を示す場合は、自動的に購入処理を実行することと、
をさらに含む、請求項１０１に記載のクラウドソーシングによる製品カタログを利用するための方法。
【請求項１０３】
前記好ましいマーケットプレイスが、前記製品の内の特定の物の入手可能性を基に確かめられる、請求項１０１または請求項１０２に記載のクラウドソーシングによる製品カタログを利用するための方法。
【請求項１０４】
前記カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、
前記多数のコンピュータ化されたマーケットプレイスに亘る前記製品に対する好ましい購入者および許容可能な価格の内の少なくとも１つを自動的に確認することと、
前記製品の内の少なくとも１つに対する購入処理を自動的に実行することであって、
製品の需要に関するアラートが、事前に確認した前記製品に対する許容可能な価格以上の価格における前記製品に対する需要を示す場合、および、
事前に規定された基準に合致する前記製品の購入者が特定される場合
の内の少なくとも１つである場合に実行することと、
をさらに含む、請求項１０１〜１０３のいずれかに記載のクラウドソーシングによる製品カタログを利用するための方法。
【請求項１０５】
前記カタログ記載事項に対応する多数の製品のいずれかに関連する製品の需要に関するアラートを、多数の個人のいずれかが要求しかつ受信することを可能にすることと、
多数のコンピュータ化されたマーケットプレイスおよび通信チャンネルの内の少なくとも１つを介して前記製品の需要に関するアラートを発信することと、
前記多数のコンピュータ化されたマーケットプレイスおよび通信チャンネルの内の少なくとも１つを介して、前記多数の個人のいずれかが前記製品の需要に関するアラートに応答することを可能にすることと、
をさらに含む、請求項１０１〜１０４のいずれかに記載のクラウドソーシングによる製品カタログを利用するための方法。
【請求項１０６】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項１０５に記載のクラウドソーシングによる製品カタログを利用するための方法。
【請求項１０７】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも１つを生成するために採用されるように構成されている、請求項１０１〜１０６のいずれかに記載のクラウドソーシングによる製品カタログを利用するための方法。
【請求項１０８】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも２つを生成するために採用されるように構成されている、請求項１０１〜１０６のいずれかに記載のクラウドソーシングによる製品カタログを利用するための方法。
【請求項１０９】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも３つを生成するために採用されるように構成されている、請求項１０１〜１０６のいずれかに記載のクラウドソーシングによる製品カタログを利用するための方法。
【請求項１１０】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも４つを生成するために採用されるように構成されている、請求項１０１〜１０９のいずれかに記載のクラウドソーシングによる製品カタログを利用するための方法。
【請求項１１１】
クラウドソーシングによる製品カタログを自動的に採用するためのシステムであって、
製品に対応する前記クラウドソーシングによる製品カタログのあらゆる構造化された多言語のカタログ記載事項を多数の個人のいずれかが採用することを可能にするように動作可能なカタログ記載事項利用機能であって、
前記製品の購入、
前記製品の検索、
前記製品に関連する需要に関するアラートの受信、および、
多数のマーケットプレイスに亘る製品の入手可能性に関するアラートの受信
の内の少なくとも１つのための前記カタログ記載事項利用機能と、
前記各製品に対する確立された価格および好ましいインターネットのマーケットプレイスの内の少なくとも１つを自動的に確認するように動作可能なコンピュータ化された価格／マーケットプレイスの確認機能と、
前記確立された価格および好ましいマーケットプレイスの内の少なくとも１つについて、前記多数の個人のいずれかに対して自動的に、前記多数のマーケットプレイスに亘る推奨を行うように動作可能なコンピュータ化された推奨生成機能であって、
前記製品の購入、
前記製品の検索、
前記製品に関連する需要に関するアラートの受信、および、
前記製品に関連する需要に関するアラートの受信
の内の少なくとも１つのための前記推奨生成機能と、
を含む、前記クラウドソーシングによる製品カタログを自動的に採用するためのシステム。
【請求項１１２】
前記カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にするように動作可能な製品の入手可能性に関するアラート生成機能と、
前記多数のコンピュータ化されたマーケットプレイスに亘る前記製品に対する許容可能な価格を自動的に確認するように動作可能なコンピュータ化された価格の確認機能と、
製品の入手可能性に関するアラートが、事前に確認した前記製品に対する許容可能な価格を超えない価格における購入に対する前記製品の入手可能性を示す場合、前記製品の内の少なくとも１つに対する購入処理を自動的に実行するように動作可能なコンピュータ化された購入機能と、
をさらに含む、請求項１１１に記載のクラウドソーシングによる製品カタログを利用するためのシステム。
【請求項１１３】
前記カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、
前記多数のコンピュータ化されたマーケットプレイスに亘る前記製品に対する好ましい購入者および許容可能な価格の内の少なくとも１つを自動的に確認するように動作可能なコンピュータ化された価格／好ましい購入者の確認機能と、
前記製品の内の少なくとも１つに対する購入処理を自動的に実行するように動作可能なコンピュータ化された購入機能であって、
製品の需要に関するアラートが、事前に確認した前記製品に対する許容可能な価格以上の価格における前記製品に対する需要を示す場合、および、
事前に規定された基準に合致する前記製品の好ましい購入者が特定される場合
の内の少なくとも１つである場合に動作可能な前記購入機能と、
をさらに含む、請求項１１１または請求項１１２に記載のクラウドソーシングによる製品カタログを利用するためのシステム。
【請求項１１４】
前記好ましいマーケットプレイスが、前記製品の内の特定の物の入手可能性を基に確かめられる、請求項１１１〜１１３のいずれかに記載のクラウドソーシングによる製品カタログを利用するためのシステム。
【請求項１１５】
前記カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、
多数のコンピュータ化されたマーケットプレイスおよび通信チャンネルの内の少なくとも１つを介して前記製品の需要に関するアラートを発信するように動作可能なコンピュータ化された製品の需要に関するアラート発信機能と、
前記多数の個人のいずれかが前記多数のコンピュータ化されたマーケットプレイスおよび通信チャンネルの内の少なくとも１つを介して前記製品の需要に関するアラートに応答することを可能にするように動作可能なコンピュータ化された製品の需要に関するアラート利用機能と、
をさらに含む、請求項１１１〜１１４のいずれかに記載のクラウドソーシングによる製品カタログを利用するためのシステム。
【請求項１１６】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項１１５に記載のクラウドソーシングによる製品カタログを利用するためのシステム。
【請求項１１７】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも１つを生成するために採用されるように構成されている、請求項１１１〜１１６のいずれかに記載のクラウドソーシングによる製品カタログを利用するためのシステム。
【請求項１１８】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも２つを生成するために採用されるように構成されている、請求項１１１〜１１７のいずれかに記載のクラウドソーシングによる製品カタログを利用するためのシステム。
【請求項１１９】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも３つを生成するために採用されるように構成されている、請求項１１１〜１１８のいずれかに記載のクラウドソーシングによる製品カタログを利用するためのシステム。
【請求項１２０】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも４つを生成するために採用されるように構成されている、請求項１１１〜１１９のいずれかに記載のクラウドソーシングによる製品カタログを利用するためのシステム。
【請求項１２１】
クラウドソーシングによる製品を自動的に採用するための方法であって、
前記クラウドソーシングによる製品カタログのあらゆる構造化された多言語のカタログ記載事項を多数の個人のいずれかが採用することを可能にすることであって、
前記製品の購入、
前記製品の検索、
前記製品に関連する需要に関するアラートの受信、および、
多数のマーケットプレイスに亘る製品の入手可能性に関するアラートの受信
の内の少なくとも１つのために可能にすることと、
前記各製品に対する確立された価格および好ましいインターネットのマーケットプレイスの内の少なくとも１つを自動的に確認することと、
価格の内の少なくとも１つおよび少なくとも１つの好ましいマーケットプレイスの、前記多数のマーケットプレイスに亘る選択を自動的に行うことであって、
前記製品の購入、
前記製品の検索、
前記製品に関連する需要に関するアラートの受信、および、
前記製品に関連する需要に関するアラートの受信
の内の少なくとも１つのために前記選択を行うことと、
を含む、前記クラウドソーシングによる製品を自動的に採用するための方法。
【請求項１２２】
前記カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にすることと、
前記多数のコンピュータ化されたマーケットプレイスに亘る前記製品に対する許容可能な価格を自動的に確認することと、
製品の入手可能性に関するアラートが、事前に確認した前記製品に対する許容可能な価格を超えない価格を有する製品の入手可能性を示す場合は、自動的に購入処理を実行することと、
をさらに含む、請求項１２１に記載のクラウドソーシングによる製品カタログを利用するための方法。
【請求項１２３】
前記カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、
前記多数のコンピュータ化されたマーケットプレイスに亘る前記製品に対する好ましい購入者および許容可能な価格の内の少なくとも１つを自動的に確認することと、
前記製品の内の少なくとも１つに対する購入処理を自動的に実行することであって、
製品の需要に関するアラートが、事前に確認した前記製品に対する許容可能な価格以上の価格における前記製品に対する需要を示す場合と、
事前に規定された基準に合致する前記製品の購入者が特定される場合の内の少なくとも１つである場合に実行することと、
をさらに含む、請求項１２１または請求項１２２に記載のクラウドソーシングによる製品カタログを利用するための方法。
【請求項１２４】
前記カタログ記載事項に対応する多数の製品のいずれかに関連する製品の需要に関するアラートを、多数の個人のいずれかが要求しかつ受信することを可能にすることと、
多数のコンピュータ化されたマーケットプレイスおよび通信チャンネルの内の少なくとも１つを介して前記製品の需要に関するアラートを発信することと、
前記多数のコンピュータ化されたマーケットプレイスおよび通信チャンネルの内の少なくとも１つを介して、前記多数の個人のいずれかが前記製品の需要に関するアラートに応答することを可能にすることと、
をさらに含む、請求項１２１〜１２３のいずれかに記載のクラウドソーシングによる製品カタログを利用するための方法。
【請求項１２５】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項１２４に記載のクラウドソーシングによる製品カタログを利用するための方法。
【請求項１２６】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも１つを生成するために採用されるように構成されている、請求項１２１〜１２５のいずれかに記載のクラウドソーシングによる製品カタログを利用するための方法。
【請求項１２７】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも２つを生成するために採用されるように構成されている、請求項１２１〜１２６のいずれかに記載のクラウドソーシングによる製品カタログを利用するための方法。
【請求項１２８】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも３つを生成するために採用されるように構成されている、請求項１２１〜１２７のいずれかに記載のクラウドソーシングによる製品カタログを利用するための方法。
【請求項１２９】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも４つを生成するために採用されるように構成されている、請求項１２１〜１２８のいずれかに記載のクラウドソーシングによる製品カタログを利用するための方法。
【請求項１３０】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも５つを生成するために採用されるように構成されている、請求項１０１〜１１０および請求項１２１〜１２９のいずれかに記載のクラウドソーシングによる製品カタログを利用するための方法。
【請求項１３１】
クラウドソーシングによる製品カタログを自動的に採用するためのシステムであって、
前記クラウドソーシングによる製品カタログのあらゆる構造化された多言語のカタログ記載事項を多数の個人のいずれかが採用することを可能にするように動作可能なカタログ記載事項利用機能であって、
前記製品の購入、
前記製品の検索、
前記製品に関連する需要に関するアラートの受信、および、
多数のマーケットプレイスに亘る製品の入手可能性に関するアラートの受信
の内の少なくとも１つのための前記カタログ記載事項利用機能と、
前記各製品に対する確立された価格および好ましいインターネットのマーケットプレイスの内の少なくとも１つを自動的に確認するように動作可能なコンピュータ化された価格／マーケットプレイスの確認機能と、
価格の内の少なくとも１つおよび少なくとも１つの好ましいマーケットプレイスの、前記多数のマーケットプレイスに亘る選択を自動的に行うように動作可能なコンピュータ化された選択機能であって、
前記製品の購入、
前記製品の検索、
前記製品に関連する需要に関するアラートの受信、および、
前記製品に関連する需要に関するアラートの受信
の内の少なくとも１つのための前記選択機能と、
を含む、前記クラウドソーシングによる製品カタログを自動的に採用するためのシステム。
【請求項１３２】
前記カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にするように動作可能な製品の入手可能性に関するアラート生成機能と、
前記多数のコンピュータ化されたマーケットプレイスに亘る前記製品に対する許容可能な価格を自動的に確認するように動作可能なコンピュータ化された価格の確認機能と、
製品の入手可能性に関するアラートが、事前に確認した前記製品に対する許容可能な価格を超えない価格における購入に対する前記製品の入手可能性を示す場合、前記製品の内の少なくとも１つに対する購入処理を自動的に実行するように動作可能なコンピュータ化された購入機能と、
をさらに含む、請求項１３１に記載のクラウドソーシングによる製品カタログを利用するためのシステム。
【請求項１３３】
前記カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、
前記多数のコンピュータ化されたマーケットプレイスに亘る前記製品に対する好ましい購入者および許容可能な価格の内の少なくとも１つを自動的に確認するように動作可能なコンピュータ化された価格／好ましい購入者の確認機能と、
前記製品の内の少なくとも１つに対する購入処理を自動的に実行するように動作可能なコンピュータ化された購入機能であって、
製品の需要に関するアラートが、事前に確認した前記製品に対する許容可能な価格以上の価格における前記製品に対する需要を示す場合、および、
事前に規定された基準に合致する前記製品の好ましい購入者が特定される場合
の内の少なくとも１つである場合に動作可能な前記購入機能と、
をさらに含む、請求項１３１または請求項１３２に記載のクラウドソーシングによる製品カタログを利用するためのシステム。
【請求項１３４】
前記カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、
多数のコンピュータ化されたマーケットプレイスおよび通信チャンネルの内の少なくとも１つを介して前記製品の需要に関するアラートを発信するように動作可能なコンピュータ化された製品の需要に関するアラート発信機能と、
前記多数の個人のいずれかが前記多数のコンピュータ化されたマーケットプレイスおよび通信チャンネルの内の少なくとも１つを介して前記製品の需要に関するアラートに応答することを可能にするように動作可能なコンピュータ化された製品の需要に関するアラート利用機能と、
をさらに含む、請求項１３１〜１３３のいずれかに記載のクラウドソーシングによる製品カタログを利用するためのシステム。
【請求項１３５】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項１３４に記載のクラウドソーシングによる製品カタログを利用するためのシステム。
【請求項１３６】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも１つを生成するために採用されるように構成されている、請求項１３１〜１３５のいずれかに記載のクラウドソーシングによる製品カタログを利用するためのシステム。
【請求項１３７】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも２つを生成するために採用されるように構成されている、請求項１３１〜１３６のいずれかに記載のクラウドソーシングによる製品カタログを利用するためのシステム。
【請求項１３８】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも３つを生成するために採用されるように構成されている、請求項１３１〜１３７のいずれかに記載のクラウドソーシングによる製品カタログを利用するためのシステム。
【請求項１３９】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも４つを生成するために採用されるように構成されている、請求項１３１〜１３８のいずれかに記載のクラウドソーシングによる製品カタログを利用するためのシステム。
【請求項１４０】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも５つを生成するために採用されるように構成されている、請求項１１〜２０、請求項３１〜４０、請求項５１〜６０、請求項７１〜８０、請求項９１〜１００、請求項１１１〜１２０および請求項１３１〜１３９のいずれかに記載のクラウドソーシングによる製品カタログを利用するためのシステム。
【請求項１４１】
多数のコンピュータ化されたマーケットプレイスに亘る自動化されコンピュータ化された商業取引のための方法であって、
多数の構造化された多言語のカタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にすることと、
前記多数のコンピュータ化されたマーケットプレイスに亘る前記製品に対する許容可能な価格を自動的に確認することと、
製品の入手可能性に関するアラートが、事前に確認した前記製品に対する許容可能な価格を超えない価格を有する製品の入手可能性を示す場合は、自動的に購入処理を実行することと、
を含む、前記多数のコンピュータ化されたマーケットプレイスに亘る自動化されコンピュータ化された商業取引のための方法。
【請求項１４２】
前記カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、
前記多数のコンピュータ化されたマーケットプレイスに亘る前記製品に対する好ましい購入者および許容可能な価格の内の少なくとも１つを自動的に確認することと、
前記製品の内の少なくとも１つに対する購入処理を自動的に実行することであって、
製品の需要に関するアラートが、事前に確認した前記製品に対する許容可能な価格以上の価格における前記製品に対する需要を示す場合、および、
事前に規定された基準に合致する前記製品の購入者が特定される場合
の内の少なくとも１つである場合に実行することと、
をさらに含む、請求項１４１に記載の多数のコンピュータ化されたマーケットプレイスに亘る自動化されコンピュータ化された商業取引のための方法。
【請求項１４３】
前記好ましいマーケットプレイスが、前記製品の内の特定の物の入手可能性を基に確かめられる、請求項１４２に記載の多数のコンピュータ化されたマーケットプレイスに亘る自動化されコンピュータ化された商業取引のための方法。
【請求項１４４】
前記カタログ記載事項に対応する多数の製品のいずれかに関連する製品の需要に関するアラートを、多数の個人のいずれかが要求しかつ受信することを可能にすることと、
多数のコンピュータ化されたマーケットプレイスおよび通信チャンネルの内の少なくとも１つを介して前記製品の需要に関するアラートを発信することと、
前記多数のコンピュータ化されたマーケットプレイスおよび通信チャンネルの内の少なくとも１つを介して、前記多数の個人のいずれかが前記製品の需要に関するアラートに応答することを可能にすることと、
をさらに含む、請求項１４１〜１４３のいずれかに記載の多数のコンピュータ化されたマーケットプレイスに亘る自動化されコンピュータ化された商業取引のための方法。
【請求項１４５】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項１４４に記載の多数のコンピュータ化されたマーケットプレイスに亘る自動化されコンピュータ化された商業取引のための方法。
【請求項１４６】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも１つを生成するために採用されるように構成されている、請求項１４１〜１４５のいずれかに記載の多数のコンピュータ化されたマーケットプレイスに亘る自動化されコンピュータ化された商業取引のための方法。
【請求項１４７】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも２つを生成するために採用されるように構成されている、請求項１４１〜１４６のいずれかに記載の多数のコンピュータ化されたマーケットプレイスに亘る自動化されコンピュータ化された商業取引のための方法。
【請求項１４８】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも３つを生成するために採用されるように構成されている、請求項１４１〜１４７のいずれかに記載の多数のコンピュータ化されたマーケットプレイスに亘る自動化されコンピュータ化された商業取引のための方法。
【請求項１４９】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも４つを生成するために採用されるように構成されている、請求項１４１〜１４８のいずれかに記載の多数のコンピュータ化されたマーケットプレイスに亘る自動化されコンピュータ化された商業取引のための方法。
【請求項１５０】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも５つを生成するために採用されるように構成されている、請求項１４１〜１４９のいずれかに記載の多数のコンピュータ化されたマーケットプレイスに亘る自動化されコンピュータ化された商業取引のための方法。
【請求項１５１】
多数のコンピュータ化されたマーケットプレイスに亘る自動化されコンピュータ化された商業取引のためのシステムであって、
多数の構造化された多言語のカタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にするように動作可能な製品の入手可能性に関するアラート生成機能と、
前記多数のコンピュータ化されたマーケットプレイスに亘る前記製品に対する許容可能な価格を自動的に確認するように動作可能なコンピュータ化された価格の確認機能と、
製品の入手可能性に関するアラートが、事前に確認した前記製品に対する許容可能な価格を超えない価格における購入に対する前記製品の入手可能性を示す場合、前記製品の内の少なくとも１つに対する購入処理を自動的に実行するように動作可能なコンピュータ化された購入機能と、
を含む、システム。
【請求項１５２】
前記カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、
前記多数のコンピュータ化されたマーケットプレイスに亘る前記製品に対する好ましい購入者および許容可能な価格の内の少なくとも１つを自動的に確認するように動作可能なコンピュータ化された価格／好ましい購入者の確認機能と、
前記製品の内の少なくとも１つに対する購入処理を自動的に実行するように動作可能なコンピュータ化された購入機能であって、
製品の需要に関するアラートが、事前に確認した前記製品に対する許容可能な価格以上の価格における前記製品に対する需要を示す場合、および、
事前に規定された基準に合致する前記製品の好ましい購入者が特定される場合
の内の少なくとも１つである場合に動作可能な前記購入機能と、
をさらに含む、請求項１５１に記載の多数のコンピュータ化されたマーケットプレイスに亘る自動化されコンピュータ化された商業取引のためのシステム。
【請求項１５３】
前記好ましいマーケットプレイスが、前記製品の内の特定の物の入手可能性を基に確かめられる、請求項１５２に記載の多数のコンピュータ化されたマーケットプレイスに亘る自動化されコンピュータ化された商業取引のためのシステム。
【請求項１５４】
前記カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、
多数のコンピュータ化されたマーケットプレイスおよび通信チャンネルの内の少なくとも１つを介して前記製品の需要に関するアラートを発信するように動作可能なコンピュータ化された製品の需要に関するアラート発信機能と、
前記多数の個人のいずれかが前記多数のコンピュータ化されたマーケットプレイスおよび通信チャンネルの内の少なくとも１つを介して前記製品の需要に関するアラートに応答することを可能にするように動作可能なコンピュータ化された製品の需要に関するアラート利用機能と、
をさらに含む、請求項１５１〜１５３のいずれかに記載の多数のコンピュータ化されたマーケットプレイスに亘る自動化されコンピュータ化された商業取引のためのシステム。
【請求項１５５】
前記多数の独立した個人の少なくとも１人が前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項１５４に記載の多数のコンピュータ化されたマーケットプレイスに亘る自動化されコンピュータ化された商業取引のためのシステム。
【請求項１５６】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも１つを生成するために採用されるように構成されている、請求項１５１〜１５５のいずれかに記載の多数のコンピュータ化されたマーケットプレイスに亘る自動化されコンピュータ化された商業取引のためのシステム。
【請求項１５７】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも２つを生成するために採用されるように構成されている、請求項１５１〜１５６のいずれかに記載の多数のコンピュータ化されたマーケットプレイスに亘る自動化されコンピュータ化された商業取引のためのシステム。
【請求項１５８】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも３つを生成するために採用されるように構成されている、請求項１４１〜１４７のいずれかに記載の多数のコンピュータ化されたマーケットプレイスに亘る自動化されコンピュータ化された商業取引のためのシステム。
【請求項１５９】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも４つを生成するために採用されるように構成されている、請求項１５１〜１５８のいずれかに記載の多数のコンピュータ化されたマーケットプレイスに亘る自動化されコンピュータ化された商業取引のためのシステム。
【請求項１６０】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも５つを生成するために採用されるように構成されている、請求項１５１〜１５８のいずれかに記載の多数のコンピュータ化されたマーケットプレイスに亘る自動化されコンピュータ化された商業取引のためのシステム。
【請求項１６１】
多数のコンピュータ化されたマーケットプレイスに亘る自動化されコンピュータ化された商業取引のための方法であって、
多数の構造化された多言語のカタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、
前記多数のコンピュータ化されたマーケットプレイスに亘る前記製品に対する好ましい購入者および許容可能な価格の内の少なくとも１つを自動的に確認することと、
前記製品の内の少なくとも１つに対する購入処理を自動的に実行することであって、
製品の需要に関するアラートが、事前に確認した前記製品に対する許容可能な価格以上の価格における前記製品に対する需要を示す場合、および、
事前に規定された基準に合致する前記製品の購入者が特定される場合
の内の少なくとも１つである場合に実行することと、
を含む、前記多数のコンピュータ化されたマーケットプレイスに亘る自動化されコンピュータ化された商業取引のための方法。
【請求項１６２】
前記製品の内の特定の物の入手可能性を基に好ましいマーケットプレイスを確認することをさらに含む、請求項１６１に記載の多数のコンピュータ化されたマーケットプレイスに亘る自動化されコンピュータ化された商業取引のための方法。
【請求項１６３】
前記カタログ記載事項に対応する多数の製品のいずれかに関連する製品の需要に関するアラートを、多数の個人のいずれかが要求しかつ受信することを可能にすることと、
多数のコンピュータ化されたマーケットプレイスおよび通信チャンネルの内の少なくとも１つを介して前記製品の需要に関するアラートを発信することと、
前記多数のコンピュータ化されたマーケットプレイスおよび通信チャンネルの内の少なくとも１つを介して、前記多数の個人のいずれかが前記製品の需要に関するアラートに応答することを可能にすることと、
をさらに含む、請求項１６１または請求項１６２に記載の多数のコンピュータ化されたマーケットプレイスに亘る自動化されコンピュータ化された商業取引のための方法。
【請求項１６４】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項１６３に記載の多数のコンピュータ化されたマーケットプレイスに亘る自動化されコンピュータ化された商業取引のための方法。
【請求項１６５】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも１つを生成するために採用されるように構成されている、請求項１６１〜１６４のいずれかに記載の多数のコンピュータ化されたマーケットプレイスに亘る自動化されコンピュータ化された商業取引のための方法。
【請求項１６６】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも２つを生成するために採用されるように構成されている、請求項１６１〜１６５のいずれかに記載の多数のコンピュータ化されたマーケットプレイスに亘る自動化されコンピュータ化された商業取引のための方法。
【請求項１６７】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも３つを生成するために採用されるように構成されている、請求項１６１〜１６６のいずれかに記載の多数のコンピュータ化されたマーケットプレイスに亘る自動化されコンピュータ化された商業取引のための方法。
【請求項１６８】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも４つを生成するために採用されるように構成されている、請求項１６１〜１６７のいずれかに記載の多数のコンピュータ化されたマーケットプレイスに亘る自動化されコンピュータ化された商業取引のための方法。
【請求項１６９】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも５つを生成するために採用されるように構成されている、請求項１６１〜１６８のいずれかに記載の多数のコンピュータ化されたマーケットプレイスに亘る自動化されコンピュータ化された商業取引のための方法。
【請求項１７０】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも６つを生成するために採用されるように構成されている、請求項１６１〜１６９のいずれかに記載の多数のコンピュータ化されたマーケットプレイスに亘る自動化されコンピュータ化された商業取引のための方法。
【請求項１７１】
多数のコンピュータ化されたマーケットプレイスに亘る自動化されコンピュータ化された商業取引のためのシステムであって、
多数の構造化された多言語のカタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、
前記多数のコンピュータ化されたマーケットプレイスに亘る前記製品に対する好ましい購入者および許容可能な価格の内の少なくとも１つを自動的に確認するように動作可能なコンピュータ化された価格／好ましい購入者の確認機能と、
前記製品の内の少なくとも１つに対する購入処理を自動的に実行するように動作可能なコンピュータ化された購入機能であって、
製品の需要に関するアラートが、事前に確認した前記製品に対する許容可能な価格以上の価格における前記製品に対する需要を示す場合と、
事前に規定された基準に合致する前記製品の好ましい購入者が特定される場合の内の少なくとも１つである場合に動作可能な機能と、
を含む、前記多数のコンピュータ化されたマーケットプレイスに亘る自動化されコンピュータ化された商業取引のためのシステム。
【請求項１７２】
前記コンピュータ化された価格／好ましい購入者の確認機能は、前記製品の内の特定の物の入手可能性を基に好ましいマーケットプレイスを確認するように動作可能である、請求項１７１に記載の多数のコンピュータ化されたマーケットプレイスに亘る自動化されコンピュータ化された商業取引のためのシステム。
【請求項１７３】
前記カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、
多数のコンピュータ化されたマーケットプレイスおよび通信チャンネルの内の少なくとも１つを介して前記製品の需要に関するアラートを発信するように動作可能なコンピュータ化された製品の需要に関するアラート発信機能と、
前記多数の個人のいずれかが前記多数のコンピュータ化されたマーケットプレイスおよび通信チャンネルの内の少なくとも１つを介して前記製品の需要に関するアラートに応答することを可能にするように動作可能なコンピュータ化された製品の需要に関するアラート利用機能と、
をさらに含む、請求項１７１または請求項１７２に記載の多数のコンピュータ化されたマーケットプレイスに亘る自動化されコンピュータ化された商業取引のためのシステム。
【請求項１７４】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項１７３に記載の多数のコンピュータ化されたマーケットプレイスに亘る自動化されコンピュータ化された商業取引のためのシステム。
【請求項１７５】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも１つを生成するために採用されるように構成されている、請求項１７１〜１７４のいずれかに記載の多数のコンピュータ化されたマーケットプレイスに亘る自動化されコンピュータ化された商業取引のためのシステム。
【請求項１７６】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも２つを生成するために採用されるように構成されている、請求項１７１〜１７５のいずれかに記載の多数のコンピュータ化されたマーケットプレイスに亘る自動化されコンピュータ化された商業取引のためのシステム。
【請求項１７７】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも３つを生成するために採用されるように構成されている、請求項１７１〜１７６のいずれかに記載の多数のコンピュータ化されたマーケットプレイスに亘る自動化されコンピュータ化された商業取引のためのシステム。
【請求項１７８】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも４つを生成するために採用されるように構成されている、請求項１７１〜１７７のいずれかに記載の多数のコンピュータ化されたマーケットプレイスに亘る自動化されコンピュータ化された商業取引のためのシステム。
【請求項１７９】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも５つを生成するために採用されるように構成されている、請求項１７１〜１７８のいずれかに記載の多数のコンピュータ化されたマーケットプレイスに亘る自動化されコンピュータ化された商業取引のためのシステム。
【請求項１８０】
それぞれが製品に対応している前記カタログ記載事項は、
販売対象の製品の新たな出品登録、
新たなカタログ記載事項、
製品購入の要求、
製品情報に対する要求、
コレクタのカタログ、
より大きなカタログの一部を構成するサブカタログ、
情報の投稿、
製品の需要の最新情報の受信の要求、および、
製品の入手可能性の最新情報
の内の少なくとも６つを生成するために採用されるように構成されている、請求項１７１〜１７９のいずれかに記載の多数のコンピュータ化されたマーケットプレイスに亘る自動化されコンピュータ化された商業取引のためのシステム。
【請求項１８１】
コンピュータ化された商業取引のための方法であって、
多数の構造化された多言語のカタログ記載事項に対応する多数の製品のいずれかに関連する製品の需要に関するアラートを、多数の個人のいずれかが要求しかつ受信することを可能にすることと、
多数のコンピュータ化されたマーケットプレイスおよび通信チャンネルの内の少なくとも１つを介して前記製品の需要に関するアラートを発信することと、
前記多数のコンピュータ化されたマーケットプレイスおよび通信チャンネルの内の少なくとも１つを介して、前記多数の個人のいずれかが前記製品の需要に関するアラートに応答することを可能にすることと、
を含む、前記コンピュータ化された商業取引のための方法。
【請求項１８２】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項１８１に記載のコンピュータ化された商業取引のための方法。
【請求項１８３】
コンピュータ化された商業取引のためのシステムであって、
多数の構造化された多言語のカタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、
多数のコンピュータ化されたマーケットプレイスおよび通信チャンネルの内の少なくとも１つを介して前記製品の需要に関するアラートを発信するように動作可能なコンピュータ化された製品の需要に関するアラート発信機能と、
前記多数の個人のいずれかが前記多数のコンピュータ化されたマーケットプレイスおよび通信チャンネルの内の少なくとも１つを介して前記製品の需要に関するアラートに応答することを可能にするように動作可能なコンピュータ化された製品の需要に関するアラート利用機能と、
を含む、システム。
【請求項１８４】
前記多数の個人のいずれかが前記製品の需要に関するアラートに応答することを可能にすることは、
需要のある販売対象の製品を出品登録すること、
需要のある製品のカタログを生成すること、および、
需要のある製品の販売を実行すること、
の内の少なくとも１つを含む、請求項１８３に記載のコンピュータ化された商業取引のためのシステム。
【発明の詳細な説明】
【技術分野】
【０００１】
関連出願の参照
２０１４年６月２３日に出願され、「クラウドソーシングによる製品カタログを作り出しかつ利用するための方法およびシステム（METHODS AND SYSTEMS FOR CREATING AND UTILIZING CROWD-SOURCED PRODUCT CATALOGS）」と題する、米国仮特許出願第６２／０１５，５８１号が参照され、その開示は参照により本明細書に組み込まれ、３７ＣＦＲ（米国特許規則連邦規則法典第３７巻）§１．７８（ａ）（４）および（５）（ｉ）に従い、その優先権を主張する。
【０００２】
本発明は、クラウドソーシングによる(crowd-sourced、クラウドソースの)製品カタログを生成しかつ利用するための方法およびシステムに関する。
【０００３】
発明の背景
オンライン製品カタログを生成しかつ利用するための様々な方法およびシステムが知られている。一般的に、かかる製品カタログは特定の個人またはエンティティによって生成および維持されている。カタログに対する潜在的な投稿者はポスティングのためにエンティティを維持するカタログに対して新たなカタログ記載事項(catalog entries)を提出する必要がある。本発明は、オンラインカタログへの投稿者が、カタログをさらに充実させるために、オンラインカタログ内に存在する情報を採用しかつ修正することを可能にするためのシステムおよび方法を提供する。
【発明の概要】
【０００４】
本発明は、クラウドソーシングによる製品カタログを生成および利用するための改良された方法およびシステムを提供しようとするものである。
【０００５】
したがって、本発明の好ましい実施形態に従い、クラウドソーシングによる製品カタログを生成するための方法が提供されており、当該方法は、第１の多数の個人のいずれかが、事前にカタログ化されていない物品(item、アイテム)に対して、構造化されたデータフォーマットでクラウドソーシングによる製品カタログ内の構造化された多言語のカタログ記載事項を生成することを可能にすることと、第２の多数の個人のいずれかが、クラウドソーシングによる製品カタログ内に存在するあらゆるカタログ記載事項を、カタログ記載事項の少なくとも１つのパラメータを修正することにより修正されたカタログ記載事項を生成するためのテンプレートとして採用することを可能にすることと、を含む。
【０００６】
好ましくは、当該方法はまた、クラウドソーシングによる製品カタログ内のカタログ記載事項を、少なくとも第３の多数の個人によるそれらの使用に基づいて自動的にランク付けすることと、ランク付けの結果を少なくとも第４の多数の個人が利用することを可能にすることと、を含む。好ましくは、当該方法はまた、カタログ記載事項のそれぞれに対してユーザ検索可能な一意的(unique)なコード(codes)を自動的に確立することと、販売対象の対応する製品の出品登録(listing、リスティング)、対応する製品の購入、対応する製品に関連する情報の取得、および対応する製品に関連する最新情報の要求の内の少なくとも１つのために多数の個人によるユーザ検索可能な一意的なコードの利用を可能にすることと、を含む。
【０００７】
好ましくは、当該方法はまた、販売対象の製品を出品登録するために、多数の個人がカタログ記載事項を採用することを可能にすることと、製品に対して確立された価格、好ましい購入者、および好ましいインターネットのマーケットプレイスの内の少なくとも１つを自動的に確認することと、販売対象の製品を出品登録するために、確立された価格、好ましい購入者、および好ましいマーケットプレイスの内の少なくとも１つを多数の個人に自動的に推奨することと、を含む。
【０００８】
好ましくは、当該方法はまた、販売対象の製品に対する確立された価格および好ましいインターネットのマーケットプレイスの内の少なくとも１つを自動的に確認することと、販売対象の製品を、確認した価格の内の少なくとも１つで、好ましい購入者の内の少なくとも１人に、好ましいマーケットプレイスの内の少なくとも１つ内で自動的に出品登録することと、を含む。好ましくは、当該方法はまた、多数のマーケットプレイスに亘る、製品の購入、製品の検索、製品に関連する需要に関するアラート(alerts、警告)の受信、および製品の入手可能性に関するアラートの受信の内の少なくとも１つのために製品に対応するクラウドソーシングによる製品カタログのあらゆるカタログ記載事項を多数の個人のいずれかが採用することを可能にすることと、各製品に対する確立された価格および好ましいインターネットのマーケットプレイスの内の少なくとも１つを自動的に確認することと、製品の購入、製品の検索、製品に関連する需要に関するアラートの受信、および製品に関連する需要に関するアラートの受信の内の少なくとも１つのために、確立された価格および好ましいマーケットプレイスの内の少なくとも１つについて、多数の個人のいずれかに対して自動的に、多数のマーケットプレイスに亘る推奨を行うことと、を含む。
【０００９】
好ましくは、当該方法はまた、カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にすることと、多数のコンピュータ化されたマーケットプレイスに亘る製品に対する許容可能な価格を自動的に確認することと、製品の入手可能性に関するアラートが、事前に確認した製品に対する許容可能な価格を超えない価格を有する製品の入手可能性を示す場合は、自動的に購入処理を実行することと、を含む。
【００１０】
好ましくは、当該方法はまた、カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、多数のコンピュータ化されたマーケットプレイスに亘る製品に対する好ましい購入者および許容可能な価格の内の少なくとも１つを自動的に確認することと、製品の需要に関するアラートが、事前に確認した製品に対する許容可能な価格以上の価格における製品に対する需要を示すか、または事前に規定された基準に合致する製品の購入者が特定される場合、製品の内の少なくとも１つに対する購入処理を自動的に実行することと、を含む。
【００１１】
好ましくは、当該方法はまた、カタログ記載事項に対応する多数の製品のいずれかに関連する製品の需要に関するアラートを、多数の個人のいずれかが要求しかつ受信することを可能にすることと、多数のコンピュータ化されたマーケットプレイスおよび通信チャンネルの内の少なくとも１つを介して製品の需要に関するアラートを発信することと、多数のコンピュータ化されたマーケットプレイスおよび通信チャンネルの内の少なくとも１つを介して、多数の個人のいずれかが製品の需要に関するアラートに応答することを可能にすることと、を含む。
【００１２】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。
【００１３】
本発明の別の好ましい実施形態に従い、クラウドソーシングによる製品カタログを生成するためのシステムも提供されており、当該システムは、第１の多数の個人のいずれかが、事前にカタログ化されていない物品に対して、構造化されたデータフォーマットでクラウドソーシングによる製品カタログ内の構造化された多言語のカタログ記載事項を生成することを可能にするように動作可能な、クラウドソーシングによる製品カタログの記載事項の生成機能と、第２の多数の個人のいずれかが、クラウドソーシングによる製品カタログ内に存在するあらゆるカタログ記載事項を、カタログ記載事項の少なくとも１つのパラメータを修正することにより修正されたカタログ記載事項を生成するためのテンプレートとして採用することを可能にするように動作可能なカタログ記載事項のリサイクル機能と、を含む。
【００１４】
好ましくは、当該システムはまた、クラウドソーシングによる製品カタログ内のカタログ記載事項を、少なくとも第３の多数の個人によるそれらの使用に基づいて自動的にランク付けするように動作可能なコンピュータ化された自動ランク付け機能を含む。好ましくは、当該システムはまた、製品に対応するカタログ記載事項のそれぞれに対してユーザ検索可能な一意的なコードを自動的に確立するように動作可能なコンピュータ化されたコード生成機能を含み、ユーザ検索可能な一意的なコードはそれぞれ、販売対象の対応する製品の出品登録、対応する製品の購入、対応する製品に関連する情報の取得、および対応する製品に関連する最新情報の要求の内の少なくとも１つのために有用である。
【００１５】
好ましくは、当該システムはまた、カタログ記載事項に対応する製品に対して確立された価格および好ましいインターネットのマーケットプレイスの内の少なくとも１つを自動的に確認するように動作可能なコンピュータ化された市場価格およびマーケットプレイスの確認機能と、販売対象の製品を出品登録するために、確立された価格および好ましいマーケットプレイスの内の少なくとも１つを多数の個人のいずれかに自動的に推奨するように動作可能なコンピュータ化された推奨生成機能と、を含む。
【００１６】
好ましくは、当該システムはまた、カタログ記載事項に対応する製品に対して確立された価格、好ましい購入者、および好ましいインターネットのマーケットプレイスの内の少なくとも１つを自動的に確かめるように動作可能なコンピュータ化された市場価格およびマーケットプレイスの確認機能と、販売対象の製品を確認した価格の内の少なくとも１つで、好ましいマーケットプレイスの内の少なくとも１つにおいて自動的に出品登録することの内の少なくとも１つを行うように動作可能なコンピュータ化されたリスト生成機能と、を含む。
【００１７】
好ましくは、当該システムはまた、多数のマーケットプレイスに亘る、製品の購入、製品の検索、製品に関連する需要に関するアラートの受信、および製品の入手可能性に関するアラートの受信の内の少なくとも１つのために製品に対応するクラウドソーシングによる製品カタログのあらゆるカタログ記載事項を多数の個人のいずれかが採用することを可能にするように動作可能なカタログ記載事項利用機能と、各製品に対する確立された価格および好ましいインターネットのマーケットプレイスの内の少なくとも１つを自動的に確認するように動作可能なコンピュータ化された価格／マーケットプレイスの確認機能と、製品の購入、製品の検索、製品に関連する需要に関するアラートの受信、および製品に関連する需要に関するアラートの受信の内の少なくとも１つのために、確立された価格および好ましいマーケットプレイスの内の少なくとも１つについて、多数の個人のいずれかに対して自動的に、多数のマーケットプレイスに亘る推奨を行うように動作可能なコンピュータ化された推奨生成機能と、を含む。
【００１８】
好ましくは、当該システムはまた、カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にするように動作可能な製品の入手可能性に関するアラート生成機能と、多数のコンピュータ化されたマーケットプレイスに亘る製品に対する許容可能な価格を自動的に確認するように動作可能なコンピュータ化された価格の確認機能と、製品の入手可能性に関するアラートが、事前に確認した製品に対する許容可能な価格を超えない価格における購入に対する製品の入手可能性を示す場合、製品の内の少なくとも１つに対する購入処理を自動的に実行するように動作可能なコンピュータ化された購入機能と、を含む。
【００１９】
好ましくは、当該システムはまた、カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、多数のコンピュータ化されたマーケットプレイスに亘る製品に対する好ましい購入者および許容可能な価格の内の少なくとも１つを自動的に確認するように動作可能なコンピュータ化された価格／好ましい購入者の確認機能と、製品の需要に関するアラートが、事前に確認した製品に対する許容可能な価格以上の価格における製品に対する需要を示すか、または事前に規定された基準に合致する製品の好ましい購入者が特定される場合、製品の内の少なくとも１つに対する購入処理を自動的に実行するように動作可能なコンピュータ化された購入機能と、を含む。
【００２０】
好ましくは、当該システムはまた、カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、多数のコンピュータ化されたマーケットプレイスおよび通信チャンネルの内の少なくとも１つを介して製品の需要に関するアラートを発信するように動作可能なコンピュータ化された製品の需要に関するアラート発信機能と、多数の個人のいずれかが多数のコンピュータ化されたマーケットプレイスおよび通信チャンネルの内の少なくとも１つを介して製品の需要に関するアラートに応答することを可能にするように動作可能なコンピュータ化された製品の需要に関するアラート利用機能と、を含む。
【００２１】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。
【００２２】
本発明のさらに別の好ましい実施形態に従い、ランク付けされたクラウドソーシングによる製品カタログを生成するための方法も提供されており、当該方法は、第１の多数の個人のいずれかが、クラウドソーシングによる製品カタログ内の既存のカタログ記載事項をコピーすること、クラウドソーシングによる製品カタログ内の既存のカタログ記載事項を修正すること、およびクラウドソーシングによる製品カタログ内に新たなカタログ記載事項を作成することの内の少なくとも１つによって、クラウドソーシングによる製品カタログ内の構造化された多言語のカタログ記載事項を生成することを可能にすることと、少なくとも第２の多数の個人によるそれらの使用に基づいてクラウドソーシングによる製品カタログ内のカタログ記載事項を自動的にランク付けすることと、を含む。
【００２３】
好ましくは、当該方法はまた、カタログ記載事項のそれぞれに対してユーザ検索可能な一意的なコードを自動的に確立することと、販売対象の対応する製品の出品登録、対応する製品の購入、対応する製品に関連する情報の取得、および対応する製品に関連する最新情報の要求の内の少なくとも１つのために多数の個人によるユーザ検索可能な一意的なコードの利用を可能にすることと、を含む。
【００２４】
好ましくは、当該方法はまた、多数の個人が販売対象の製品を出品登録するためにカタログ記載事項を採用することを可能にすることと、かかる製品に対して確立された価格、好ましい購入者、および好ましいインターネットのマーケットプレイスの内の少なくとも１つを自動的に確認することと、販売対象の製品を出品登録するために、価格、好ましい購入者、および好ましいマーケットプレイスの内の少なくとも１つを多数の個人に自動的に推奨することと、を含む。好ましくは、当該方法はまた、販売対象の製品に対する確立された価格、好ましい購入者、および好ましいインターネットのマーケットプレイスの内の少なくとも１つを自動的に確認することと、販売対象の製品を、確認した価格の内の少なくとも１つで、好ましい購入者の内の少なくとも１人に、好ましいマーケットプレイスの内の少なくとも１つ内で自動的に出品登録することと、を含む。
【００２５】
好ましくは、当該方法はまた、多数のマーケットプレイスに亘る、製品の購入、製品の検索、製品に関連する需要に関するアラートの受信、および製品の入手可能性に関するアラートの受信の内の少なくとも１つのために製品に対応するクラウドソーシングによる製品カタログのあらゆるカタログ記載事項を多数の個人のいずれかが採用することを可能にすることと、各製品に対する確立された価格および好ましいインターネットのマーケットプレイスの内の少なくとも１つを自動的に確認することと、製品の購入、製品の検索、製品に関連する需要に関するアラートの受信、および製品に関連する需要に関するアラートの受信の内の少なくとも１つのために、確立された価格および好ましいマーケットプレイスの内の少なくとも１つについて、多数の個人のいずれかに対して自動的に、多数のマーケットプレイスに亘る推奨を行うことと、を含む。
【００２６】
好ましくは、当該方法はまた、カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にすることと、多数のコンピュータ化されたマーケットプレイスに亘る製品に対する許容可能な価格を自動的に確認することと、製品の入手可能性に関するアラートが、事前に確認した製品に対する許容可能な価格を超えない価格を有する製品の入手可能性を示す場合は、自動的に購入処理を実行することと、を含む。
【００２７】
好ましくは、当該方法はまた、カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、多数のコンピュータ化されたマーケットプレイスに亘る製品に対する好ましい購入者および許容可能な価格の内の少なくとも１つを自動的に確認することと、製品の需要に関するアラートが、事前に確認した製品に対する許容可能な価格以上の価格における製品に対する需要を示すか、または事前に規定された基準に合致する製品の購入者が特定される場合、製品の内の少なくとも１つに対する購入処理を自動的に実行することと、を含む。
【００２８】
好ましくは、当該方法はまた、カタログ記載事項に対応する多数の製品のいずれかに関連する製品の需要に関するアラートを、多数の個人のいずれかが要求しかつ受信することを可能にすることと、多数のコンピュータ化されたマーケットプレイスおよび通信チャンネルの内の少なくとも１つを介して製品の需要に関するアラートを発信することと、多数のコンピュータ化されたマーケットプレイスおよび通信チャンネルの内の少なくとも１つを介して、多数の個人のいずれかが製品の需要に関するアラートに応答することを可能にすることと、を含む。
【００２９】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。好ましくは、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも１つを生成するために採用されるように構成されている。
【００３０】
本発明のさらに別の好ましい実施形態に従い、ランク付けされたクラウドソーシングによる製品カタログを生成するためのシステムも提供されており、当該システムは、第１の多数の個人のいずれかが、クラウドソーシングによる製品カタログ内の既存のカタログ記載事項をコピーすること、クラウドソーシングによる製品カタログ内の既存のカタログ記載事項を修正すること、およびクラウドソーシングによる製品カタログ内に新たなカタログ記載事項を作成することの内の少なくとも１つによってクラウドソーシングによる製品カタログ内の構造化された多言語のカタログ記載事項を生成することを可能にするように動作可能なクラウドソーシングによる製品カタログ記載事項の生成機能と、クラウドソーシングによる製品カタログ内のカタログ記載事項を、少なくとも第２の多数の個人によるそれらの使用に基づいて自動的にランク付けするように動作可能なコンピュータ化された自動ランク付け機能と、を含む。
【００３１】
好ましくは、当該システムはまた、カタログ記載事項のそれぞれに対してユーザ検索可能な一意的なコードを自動的に確立するように動作可能なコンピュータ化されたコード生成機能を含む。好ましくは、当該システムはまた、カタログ記載事項に対応する製品に対して確立された価格、好ましい購入者、および好ましいインターネットのマーケットプレイスの内の少なくとも１つを自動的に確認するように動作可能なコンピュータ化された市場価格およびマーケットプレイスの確認機能と、販売対象の製品を出品登録するために、確立された価格、好ましい購入者、および好ましいマーケットプレイスの内の少なくとも１つを多数の個人のいずれかに自動的に推奨するように動作可能なコンピュータ化された推奨生成機能と、を含む。
【００３２】
好ましくは、当該システムはまた、カタログ記載事項に対応する製品に対して確立された価格、好ましい購入者、および好ましいインターネットのマーケットプレイスの内の少なくとも１つを自動的に確認するように動作可能なコンピュータ化された市場価格およびマーケットプレイスの確認機能と、販売対象の製品を確認した価格の内の少なくとも１つで、好ましいマーケットプレイスの内の少なくとも１つにおいて自動的に出品登録することの内の少なくとも１つを行うように動作可能なコンピュータ化されたリスト生成機能と、を含む。
【００３３】
好ましくは、当該システムはまた、多数のマーケットプレイスに亘る、製品の購入、製品の検索、製品に関連する需要に関するアラートの受信、および製品の入手可能性に関するアラートの受信の内の少なくとも１つのために製品に対応するクラウドソーシングによる製品カタログのあらゆるカタログ記載事項を多数の個人のいずれかが採用することを可能にするように動作可能なカタログ記載事項利用機能と、各製品に対する確立された価格および好ましいインターネットのマーケットプレイスの内の少なくとも１つを自動的に確認するように動作可能なコンピュータ化された価格／マーケットプレイスの確認機能と、製品の購入、製品の検索、製品に関連する需要に関するアラートの受信、および製品に関連する需要に関するアラートの受信の内の少なくとも１つのために、確立された価格および好ましいマーケットプレイスの内の少なくとも１つについて、多数の個人のいずれかに対して自動的に、多数のマーケットプレイスに亘る推奨を行うように動作可能なコンピュータ化された推奨生成機能と、を含む。
【００３４】
好ましくは、当該システムはまた、カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にするように動作可能な製品の入手可能性に関するアラート生成機能と、多数のコンピュータ化されたマーケットプレイスに亘る製品に対する許容可能な価格を自動的に確認するように動作可能なコンピュータ化された価格の確認機能と、製品の入手可能性に関するアラートが、事前に確認した製品に対する許容可能な価格を超えない価格における購入に対する製品の入手可能性を示す場合、製品の内の少なくとも１つに対する購入処理を自動的に実行するように動作可能なコンピュータ化された購入機能と、を含む。
【００３５】
好ましくは、当該システムはまた、カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、多数のコンピュータ化されたマーケットプレイスに亘る製品に対する好ましい購入者および許容可能な価格の内の少なくとも１つを自動的に確認するように動作可能なコンピュータ化された価格／好ましい購入者の確認機能と、製品の需要に関するアラートが、事前に確認した製品に対する許容可能な価格以上の価格における製品に対する需要を示すか、または事前に規定された基準に合致する製品の好ましい購入者が特定される場合、製品の内の少なくとも１つに対する購入処理を自動的に実行するように動作可能なコンピュータ化された購入機能と、を含む。
【００３６】
好ましくは、当該システムはまた、カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、多数のコンピュータ化されたマーケットプレイスおよび通信チャンネルの内の少なくとも１つを介して製品の需要に関するアラートを発信するように動作可能なコンピュータ化された製品の需要に関するアラート発信機能と、多数の個人のいずれかが多数のコンピュータ化されたマーケットプレイスおよび通信チャンネルの内の少なくとも１つを介して製品の需要に関するアラートに応答することを可能にするように動作可能なコンピュータ化された製品の需要に関するアラート利用機能と、を含む。
【００３７】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。
【００３８】
好ましくは、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも１つを生成するために採用されるように構成されている。
【００３９】
本発明の別の好ましい実施形態に従い、コード化されたクラウドソーシングによる製品カタログを生成するための方法も提供されており、当該方法は、多数の個人が、それぞれ製品に対応している、クラウドソーシングによる製品カタログ内の構造化された多言語のカタログ記載事項を生成することを可能にすることと、カタログ記載事項のそれぞれに対してユーザ検索可能な一意的なコードを自動的に確立することと、販売対象の対応する製品の出品登録、対応する製品の購入、対応する製品に関連する情報の取得、および対応する製品に関連する最新情報の要求の内の少なくとも１つのために多数の個人によるユーザ検索可能な一意的なコードの利用を可能にすることと、を含む。
【００４０】
好ましくは、当該方法はまた、多数の個人が販売対象の製品を出品登録するためにカタログ記載事項を採用することを可能にすることと、製品に対して確立された価格、好ましい購入者、および好ましいインターネットのマーケットプレイスの内の少なくとも１つを自動的に確認することと、販売対象の製品を出品登録するために、確立された価格、好ましい購入者、および好ましいマーケットプレイスの内の少なくとも１つを多数の個人に自動的に推奨することと、を含む。
【００４１】
好ましくは、当該方法はまた、販売対象の製品に対する確立された価格および好ましいインターネットのマーケットプレイスの内の少なくとも１つを自動的に確認することと、販売対象の製品を、確認した価格の内の少なくとも１つで、好ましい購入者の内の少なくとも１人に、好ましいマーケットプレイスの内の少なくとも１つ内で自動的に出品登録することと、を含む。好ましくは、当該方法はまた、多数のマーケットプレイスに亘る、製品の購入、製品の検索、製品に関連する需要に関するアラートの受信、および製品の入手可能性に関するアラートの受信の内の少なくとも１つのために製品に対応するクラウドソーシングによる製品カタログのあらゆるカタログ記載事項を多数の個人のいずれかが採用することを可能にすることと、各製品に対する確立された価格および好ましいインターネットのマーケットプレイスの内の少なくとも１つを自動的に確認することと、製品の購入、製品の検索、製品に関連する需要に関するアラートの受信、および製品に関連する需要に関するアラートの受信の内の少なくとも１つのために、確立された価格および好ましいマーケットプレイスの内の少なくとも１つについて、多数の個人のいずれかに対して自動的に、多数のマーケットプレイスに亘る推奨を行うことと、を含む。
【００４２】
好ましくは、当該方法はまた、カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にすることと、多数のコンピュータ化されたマーケットプレイスに亘る製品に対する許容可能な価格を自動的に確認することと、製品の入手可能性に関するアラートが、事前に確認した製品に対する許容可能な価格を超えない価格を有する製品の入手可能性を示す場合は、自動的に購入処理を実行することと、を含む。
【００４３】
好ましくは、当該方法はまた、カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、多数のコンピュータ化されたマーケットプレイスに亘る製品に対する好ましい購入者および許容可能な価格の内の少なくとも１つを自動的に確認することと、製品の需要に関するアラートが、事前に確認した製品に対する許容可能な価格以上の価格における製品に対する需要を示すか、または事前に規定された基準に合致する製品の購入者が特定される場合、製品の内の少なくとも１つに対する購入処理を自動的に実行することと、を含む。
【００４４】
好ましくは、当該方法はまた、カタログ記載事項に対応する多数の製品のいずれかに関連する製品の需要に関するアラートを、多数の個人のいずれかが要求しかつ受信することを可能にすることと、多数のコンピュータ化されたマーケットプレイスおよび通信チャンネルの内の少なくとも１つを介して製品の需要に関するアラートを発信することと、多数のコンピュータ化されたマーケットプレイスおよび通信チャンネルの内の少なくとも１つを介して、多数の個人のいずれかが製品の需要に関するアラートに応答することを可能にすることと、を含む。
【００４５】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。好ましくは、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも１つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも２つを生成するために採用されるように構成されている。
【００４６】
本発明のさらに別の好ましい実施形態に従い、コード化されたクラウドソーシングによる製品カタログを生成するためのシステムも提供されており、当該システムは、多数の個人が、それぞれ製品に対応している、クラウドソーシングによる製品カタログ内の構造化された多言語のカタログ記載事項を生成することを可能にするように動作可能なクラウドソーシングによる製品カタログ記載事項の生成機能と、製品に対応しているカタログ記載事項のそれぞれに対してユーザ検索可能な一意的なコードを自動的に確立するように動作可能なコンピュータ化されたコード生成機能と、を含み、ユーザ検索可能な一意的なコードはそれぞれ、販売対象の対応する製品の出品登録、対応する製品の購入、対応する製品に関連する情報の取得、および対応する製品に関連する最新情報の要求の内の少なくとも１つのために有用である。
【００４７】
好ましくは、当該システムはまた、カタログ記載事項に対応している製品に対して確立された価格および好ましいインターネットのマーケットプレイスの内の少なくとも１つを自動的に確認するように動作可能なコンピュータ化された市場価格およびマーケットプレイスの確認機能と、販売対象の製品を出品登録するために確立された価格および好ましいマーケットプレイスの内の少なくとも１つについて、多数の個人のいずれかに対して自動的に推奨を行うように動作可能なコンピュータ化された推奨生成機能と、を含む。好ましくは、当該システムはまた、カタログ記載事項に対応している製品に対して確立された価格、好ましい購入者、および好ましいインターネットのマーケットプレイスの内の少なくとも１つを自動的に確認するように動作可能なコンピュータ化された市場価格およびマーケットプレイスの確認機能と、販売対象の製品を確認した価格の内の少なくとも１つで、好ましいマーケットプレイスの内の少なくとも１つにおいて自動的に出品登録することの内の少なくとも１つを行うように動作可能なコンピュータ化されたリスト生成機能と、を含む。
【００４８】
好ましくは、当該システムはまた、多数のマーケットプレイスに亘る、製品の購入、製品の検索、製品に関連する需要に関するアラートの受信、および製品の入手可能性に関するアラートの受信の内の少なくとも１つのために製品に対応するクラウドソーシングによる製品カタログのあらゆるカタログ記載事項を多数の個人のいずれかが採用することを可能にするように動作可能なカタログ記載事項利用機能と、各製品に対する確立された価格および好ましいインターネットのマーケットプレイスの内の少なくとも１つを自動的に確認するように動作可能なコンピュータ化された価格／マーケットプレイスの確認機能と、製品の購入、製品の検索、製品に関連する需要に関するアラートの受信、および製品に関連する需要に関するアラートの受信の内の少なくとも１つのために、確立された価格および好ましいマーケットプレイスの内の少なくとも１つについて、多数の個人のいずれかに対して自動的に、多数のマーケットプレイスに亘る推奨を行うように動作可能なコンピュータ化された推奨生成機能と、を含む。
【００４９】
好ましくは、当該システムはまた、カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にするように動作可能な製品の入手可能性に関するアラート生成機能と、多数のコンピュータ化されたマーケットプレイスに亘る製品に対する許容可能な価格を自動的に確認するように動作可能なコンピュータ化された価格の確認機能と、製品の入手可能性に関するアラートが、事前に確認した製品に対する許容可能な価格を超えない価格における購入に対する製品の入手可能性を示す場合、製品の内の少なくとも１つに対する購入処理を自動的に実行するように動作可能なコンピュータ化された購入機能と、を含む。
【００５０】
好ましくは、当該システムはまた、カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、多数のコンピュータ化されたマーケットプレイスに亘る製品に対する好ましい購入者および許容可能な価格の内の少なくとも１つを自動的に確認するように動作可能なコンピュータ化された価格／好ましい購入者の確認機能と、製品の需要に関するアラートが、事前に確認した製品に対する許容可能な価格以上の価格における製品に対する需要を示すか、または事前に規定された基準に合致する製品の好ましい購入者が特定される場合、製品の内の少なくとも１つに対する購入処理を自動的に実行するように動作可能なコンピュータ化された購入機能と、を含む。
【００５１】
好ましくは、当該システムはまた、カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、多数のコンピュータ化されたマーケットプレイスおよび通信チャンネルの内の少なくとも１つを介して製品の需要に関するアラートを発信するように動作可能なコンピュータ化された製品の需要に関するアラート発信機能と、多数の個人のいずれかが多数のコンピュータ化されたマーケットプレイスおよび通信チャンネルの内の少なくとも１つを介して製品の需要に関するアラートに応答することを可能にするように動作可能なコンピュータ化された製品の需要に関するアラート利用機能と、を含む。
【００５２】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。
【００５３】
好ましくは、それぞれが製品に対応しているカタログ記載事項は以下の、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも１つを生成するために採用されるように構成されている。代替的には、それぞれが製品に対応しているカタログ記載事項は以下の、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも２つを生成するために採用されるように構成されている。
【００５４】
本発明のさらに別の好ましい実施形態に従い、販売対象の製品を出品登録するためのクラウドソーシングによる製品カタログを採用するための方法も提供されており、当該方法は、多数の個人が、クラウドソーシングによる製品カタログ内に、それぞれ製品に対応している、構造化された多言語のカタログ記載事項を生成することを可能にすることと、製品に対して確立された価格および好ましいインターネットのマーケットプレイスの内の少なくとも１つを自動的に確かめることと、販売対象の製品を出品登録するために、確立された価格および好ましいマーケットプレイスの内の少なくとも１つを多数の個人のいずれかに自動的に推奨することと、を含む。
【００５５】
好ましくは、当該方法はまた、多数の個人が販売対象の製品を出品登録するためにカタログ記載事項を採用することを可能にすることと、販売対象の製品に対する確立された価格および好ましいインターネットのマーケットプレイスの内の少なくとも１つを自動的に確認することと、販売対象の製品を、確認した価格の内の少なくとも１つで、好ましい購入者の内の少なくとも１人に、好ましいマーケットプレイスの内の少なくとも１つ内で自動的に出品登録することと、を含む。
【００５６】
好ましくは、当該方法はまた、多数の個人が販売対象の製品を出品登録するためにカタログ記載事項を採用することを可能にすることと、製品に対して確立された価格、好ましい購入者、および好ましいインターネットのマーケットプレイスの内の少なくとも１つを自動的に確認することと、販売対象の製品を出品登録するために、確立された価格、好ましい購入者、および好ましいマーケットプレイスの内の少なくとも１つを多数の個人に自動的に推奨することと、を含む。好ましくは、当該方法はまた、カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にすることと、多数のコンピュータ化されたマーケットプレイスに亘る製品に対する許容可能な価格を自動的に確認することと、製品の入手可能性に関するアラートが、事前に確認した製品に対する許容可能な価格を超えない価格を有する製品の入手可能性を示す場合は、自動的に購入処理を実行することと、を含む。
【００５７】
好ましくは、当該方法はまた、カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、多数のコンピュータ化されたマーケットプレイスに亘る製品に対する好ましい購入者および許容可能な価格の内の少なくとも１つを自動的に確認することと、製品の需要に関するアラートが、事前に確認した製品に対する許容可能な価格以上の価格における製品に対する需要を示すか、または事前に規定された基準に合致する製品の購入者が特定される場合、製品の内の少なくとも１つに対する購入処理を自動的に実行することと、を含む。
【００５８】
好ましくは、当該方法はまた、カタログ記載事項に対応する多数の製品のいずれかに関連する製品の需要に関するアラートを、多数の個人のいずれかが要求しかつ受信することを可能にすることと、多数のコンピュータ化されたマーケットプレイスおよび通信チャンネルの内の少なくとも１つを介して製品の需要に関するアラートを発信することと、多数のコンピュータ化されたマーケットプレイスおよび通信チャンネルの内の少なくとも１つを介して、多数の個人のいずれかが製品の需要に関するアラートに応答することを可能にすることと、を含む。
【００５９】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。
【００６０】
好ましくは、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも１つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも２つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも３つを生成するために採用されるように構成されている。
【００６１】
本発明のさらに別の好ましい実施形態に従い、販売対象の製品を出品登録するためのクラウドソーシングによる製品カタログを採用するためのシステムも提供されており、当該システムは、多数の個人が、クラウドソーシングによる製品カタログ内に、それぞれ製品に対応している、構造化された多言語のカタログ記載事項を生成することを可能にするように動作可能なクラウドソーシングによる製品カタログ記載事項生成機能と、製品に対して確立された価格および好ましいインターネットのマーケットプレイスの内の少なくとも１つを自動的に確認するように動作可能なコンピュータ化された市場価格およびマーケットプレイスの確認機能と、販売対象の製品を出品登録するために、確立された価格および好ましいマーケットプレイスの内の少なくとも１つを多数の個人のいずれかに自動的に推奨するように動作可能なコンピュータ化された推奨生成機能と、を含む。
【００６２】
好ましくは、当該システムはまた、カタログ記載事項に対応する製品に対して確立された価格、好ましい購入者、および好ましいインターネットのマーケットプレイスの内の少なくとも１つを自動的に確認するように動作可能なコンピュータ化された市場価格およびマーケットプレイスの確認機能と、販売対象の製品を確認した価格の内の少なくとも１つで、好ましいマーケットプレイスの内の少なくとも１つにおいて自動的に出品登録することの内の少なくとも１つを行うように動作可能なコンピュータ化されたリスト生成機能と、を含む。
【００６３】
好ましくは、当該システムはまた、多数のマーケットプレイスに亘る、製品の購入、製品の検索、製品に関連する需要に関するアラートの受信、および製品の入手可能性に関するアラートの受信の内の少なくとも１つのために製品に対応するクラウドソーシングによる製品カタログのあらゆるカタログ記載事項を多数の個人のいずれかが採用することを可能にするように動作可能なカタログ記載事項利用機能と、各製品に対する確立された価格および好ましいインターネットのマーケットプレイスの内の少なくとも１つを自動的に確認するように動作可能なコンピュータ化された価格／マーケットプレイスの確認機能と、製品の購入、製品の検索、製品に関連する需要に関するアラートの受信、および製品に関連する需要に関するアラートの受信の内の少なくとも１つのために、確立された価格および好ましいマーケットプレイスの内の少なくとも１つについて、多数の個人のいずれかに対して自動的に、多数のマーケットプレイスに亘る推奨を行うように動作可能なコンピュータ化された推奨生成機能と、を含む。
【００６４】
好ましくは、当該システムはまた、カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にするように動作可能な製品の入手可能性に関するアラート生成機能と、多数のコンピュータ化されたマーケットプレイスに亘る製品に対する許容可能な価格を自動的に確認するように動作可能なコンピュータ化された価格の確認機能と、製品の入手可能性に関するアラートが、事前に確認した製品に対する許容可能な価格を超えない価格における購入に対する製品の入手可能性を示す場合、製品の内の少なくとも１つに対する購入処理を自動的に実行するように動作可能なコンピュータ化された購入機能と、を含む。
【００６５】
好ましくは、当該システムはまた、カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、多数のコンピュータ化されたマーケットプレイスに亘る製品に対する好ましい購入者および許容可能な価格の内の少なくとも１つを自動的に確認するように動作可能なコンピュータ化された価格／好ましい購入者の確認機能と、製品の需要に関するアラートが、事前に確認した製品に対する許容可能な価格以上の価格における製品に対する需要を示すか、または事前に規定された基準に合致する製品の好ましい購入者が特定される場合、製品の内の少なくとも１つに対する購入処理を自動的に実行するように動作可能なコンピュータ化された購入機能と、を含む。
【００６６】
好ましくは、当該システムはまた、カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、多数のコンピュータ化されたマーケットプレイスおよび通信チャンネルの内の少なくとも１つを介して製品の需要に関するアラートを発信するように動作可能なコンピュータ化された製品の需要に関するアラート発信機能と、多数の個人のいずれかが多数のコンピュータ化されたマーケットプレイスおよび通信チャンネルの内の少なくとも１つを介して製品の需要に関するアラートに応答することを可能にするように動作可能なコンピュータ化された製品の需要に関するアラート利用機能と、を含む。
【００６７】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。
【００６８】
好ましくは、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも１つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも２つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも３つを生成するために採用されるように構成されている。
【００６９】
本発明のさらに別の好ましい実施形態に従い、販売対象の製品を出品登録するためのクラウドソーシングによる製品カタログを採用するための方法も提供されており、当該方法は、多数の個人が、クラウドソーシングによる製品カタログ内に、それぞれ製品に対応している、構造化された多言語のカタログ記載事項を生成することを可能にすることと、販売対象の製品に対して確立された価格および好ましいインターネットのマーケットプレイスの内の少なくとも１つを自動的に確認することと、販売対象の製品を確認した価格の内の少なくとも１つで、好ましいマーケットプレイスの内の少なくとも１つにおいて自動的に出品登録することと、を含む。
【００７０】
好ましくは、当該方法はまた、多数のマーケットプレイスに亘る、製品の購入、製品の検索、製品に関連する需要に関するアラートの受信、および製品の入手可能性に関するアラートの受信の内の少なくとも１つのために製品に対応するクラウドソーシングによる製品カタログのあらゆるカタログ記載事項を多数の個人のいずれかが採用することを可能にすることと、各製品に対する確立された価格および好ましいインターネットのマーケットプレイスの内の少なくとも１つを自動的に確認することと、製品の購入、製品の検索、製品に関連する需要に関するアラートの受信、および製品に関連する需要に関するアラートの受信の内の少なくとも１つのために、確立された価格および好ましいマーケットプレイスの内の少なくとも１つについて、多数の個人のいずれかに対して自動的に、多数のマーケットプレイスに亘る推奨を行うことと、を含む。
【００７１】
好ましくは、当該方法はまた、カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にすることと、多数のコンピュータ化されたマーケットプレイスに亘る製品に対する許容可能な価格を自動的に確認することと、製品の入手可能性に関するアラートが、事前に確認した製品に対する許容可能な価格を超えない価格を有する製品の入手可能性を示す場合は、自動的に購入処理を実行することと、を含む。
【００７２】
好ましくは、当該方法はまた、カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、多数のコンピュータ化されたマーケットプレイスに亘る製品に対する好ましい購入者および許容可能な価格の内の少なくとも１つを自動的に確認することと、製品の需要に関するアラートが、事前に確認した製品に対する許容可能な価格以上の価格における製品に対する需要を示すか、または事前に規定された基準に合致する製品の購入者が特定される場合、製品の内の少なくとも１つに対する購入処理を自動的に実行することと、を含む。
【００７３】
好ましくは、当該方法はまた、カタログ記載事項に対応する多数の製品のいずれかに関連する製品の需要に関するアラートを、多数の個人のいずれかが要求しかつ受信することを可能にすることと、多数のコンピュータ化されたマーケットプレイスおよび通信チャンネルの内の少なくとも１つを介して製品の需要に関するアラートを発信することと、多数のコンピュータ化されたマーケットプレイスおよび通信チャンネルの内の少なくとも１つを介して、多数の個人のいずれかが製品の需要に関するアラートに応答することを可能にすることと、を含む。
【００７４】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。
【００７５】
好ましくは、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも１つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも２つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも３つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも４つを生成するために採用されるように構成されている。
【００７６】
本発明のさらに別の好ましい実施形態に従い、販売対象の製品を出品登録するためのクラウドソーシングによる製品カタログを採用するためのシステムも提供されており、当該システムは、多数の個人が、クラウドソーシングによる製品カタログ内に、それぞれ製品に対応している、構造化された多言語のカタログ記載事項を生成することを可能にするように動作可能なクラウドソーシングによる製品カタログ記載事項生成機能と、販売対象の製品に対して確立された価格および好ましいインターネットのマーケットプレイスの内の少なくとも１つを自動的に確認するように動作可能なコンピュータ化された市場価格およびマーケットプレイスの確認機能と、販売対象の製品を確認した価格の内の少なくとも１つで、好ましいマーケットプレイスの内の少なくとも１つにおいて自動的に出品登録するように動作可能なコンピュータ化されたリスト生成機能と、を含む。
【００７７】
好ましくは、当該システムはまた、多数のマーケットプレイスに亘る、製品の購入、製品の検索、製品に関連する需要に関するアラートの受信、および製品の入手可能性に関するアラートの受信の内の少なくとも１つのために製品に対応するクラウドソーシングによる製品カタログのあらゆるカタログ記載事項を多数の個人のいずれかが採用することを可能にするように動作可能なカタログ記載事項利用機能と、各製品に対する確立された価格および好ましいインターネットのマーケットプレイスの内の少なくとも１つを自動的に確認するように動作可能なコンピュータ化された価格／マーケットプレイスの確認機能と、製品の購入、製品の検索、製品に関連する需要に関するアラートの受信、および製品に関連する需要に関するアラートの受信の内の少なくとも１つのために、確立された価格および好ましいマーケットプレイスの内の少なくとも１つについて、多数の個人のいずれかに対して自動的に、多数のマーケットプレイスに亘る推奨を行うように動作可能なコンピュータ化された推奨生成機能と、を含む。
【００７８】
好ましくは、当該システムはまた、カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にするように動作可能な製品の入手可能性に関するアラート生成機能と、多数のコンピュータ化されたマーケットプレイスに亘る製品に対する許容可能な価格を自動的に確認するように動作可能なコンピュータ化された価格の確認機能と、製品の入手可能性に関するアラートが、事前に確認した製品に対する許容可能な価格を超えない価格における購入に対する製品の入手可能性を示す場合、製品の内の少なくとも１つに対する購入処理を自動的に実行するように動作可能なコンピュータ化された購入機能と、を含む。
【００７９】
好ましくは、当該システムはまた、カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、多数のコンピュータ化されたマーケットプレイスに亘る製品に対する好ましい購入者および許容可能な価格の内の少なくとも１つを自動的に確認するように動作可能なコンピュータ化された価格／好ましい購入者の確認機能と、製品の需要に関するアラートが、事前に確認した製品に対する許容可能な価格以上の価格における製品に対する需要を示すか、または事前に規定された基準に合致する製品の好ましい購入者が特定される場合、製品の内の少なくとも１つに対する購入処理を自動的に実行するように動作可能なコンピュータ化された購入機能と、を含む。
【００８０】
好ましくは、当該システムはまた、カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、多数のコンピュータ化されたマーケットプレイスおよび通信チャンネルの内の少なくとも１つを介して製品の需要に関するアラートを発信するように動作可能なコンピュータ化された製品の需要に関するアラート発信機能と、多数の個人のいずれかが多数のコンピュータ化されたマーケットプレイスおよび通信チャンネルの内の少なくとも１つを介して製品の需要に関するアラートに応答することを可能にするように動作可能なコンピュータ化された製品の需要に関するアラート利用機能と、を含む。
【００８１】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。
【００８２】
好ましくは、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも１つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも２つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも３つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも４つを生成するために採用されるように構成されている。
【００８３】
本発明のさらに別の好ましい実施形態に従い、クラウドソーシングによる製品カタログを自動的に採用するための方法も提供されており、当該方法は、多数のマーケットプレイスに亘る、製品の購入、製品の検索、製品に関連する需要に関するアラートの受信、および製品の入手可能性に関するアラートの受信の内の少なくとも１つのために製品に対応するクラウドソーシングによる製品カタログのあらゆる構造化された多言語のカタログ記載事項を多数の個人のいずれかが採用することを可能にすることと、各製品に対する確立された価格および好ましいインターネットのマーケットプレイスの内の少なくとも１つを自動的に確認することと、製品の購入、製品の検索、製品に関連する需要に関するアラートの受信、および製品に関連する需要に関するアラートの受信の内の少なくとも１つのために、確立された価格および好ましいマーケットプレイスの内の少なくとも１つについて、多数の個人のいずれかに対して自動的に、多数のマーケットプレイスに亘る推奨を行うことと、を含む。
【００８４】
好ましくは、当該方法はまた、カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にすることと、多数のコンピュータ化されたマーケットプレイスに亘る製品に対する許容可能な価格を自動的に確認することと、製品の入手可能性に関するアラートが、事前に確認した製品に対する許容可能な価格を超えない価格を有する製品の入手可能性を示す場合は、自動的に購入処理を実行することと、を含む。
【００８５】
好ましくは、好ましいマーケットプレイスは製品の内の特定の物の入手可能性を基に確かめられる。
【００８６】
好ましくは、当該方法はまた、カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、多数のコンピュータ化されたマーケットプレイスに亘る製品に対する好ましい購入者および許容可能な価格の内の少なくとも１つを自動的に確認することと、製品の需要に関するアラートが、事前に確認した製品に対する許容可能な価格以上の価格における製品に対する需要を示すか、または事前に規定された基準に合致する製品の購入者が特定される場合、製品の内の少なくとも１つに対する購入処理を自動的に実行することと、を含む。
【００８７】
好ましくは、当該方法はまた、カタログ記載事項に対応する多数の製品のいずれかに関連する製品の需要に関するアラートを、多数の個人のいずれかが要求しかつ受信することを可能にすることと、多数のコンピュータ化されたマーケットプレイスおよび通信チャンネルの内の少なくとも１つを介して製品の需要に関するアラートを発信することと、多数のコンピュータ化されたマーケットプレイスおよび通信チャンネルの内の少なくとも１つを介して、多数の個人のいずれかが製品の需要に関するアラートに応答することを可能にすることと、を含む。
【００８８】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。
【００８９】
好ましくは、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも１つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも２つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも３つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも４つを生成するために採用されるように構成されている。
【００９０】
本発明のさらに別の好ましい実施形態に従い、クラウドソーシングによる製品カタログを自動的に採用するためのシステムも提供されており、当該システムは、多数のマーケットプレイスに亘る、製品の購入、製品の検索、製品に関連する需要に関するアラートの受信、および製品の入手可能性に関するアラートの受信の内の少なくとも１つのために製品に対応するクラウドソーシングによる製品カタログのあらゆる構造化された多言語のカタログ記載事項を多数の個人のいずれかが採用することを可能にするように動作可能なカタログ記載事項利用機能と、各製品に対する確立された価格および好ましいインターネットのマーケットプレイスの内の少なくとも１つを自動的に確認するように動作可能なコンピュータ化された価格／マーケットプレイスの確認機能と、製品の購入、製品の検索、製品に関連する需要に関するアラートの受信、および製品に関連する需要に関するアラートの受信の内の少なくとも１つのために、確立された価格および好ましいマーケットプレイスの内の少なくとも１つについて、多数の個人のいずれかに対して自動的に、多数のマーケットプレイスに亘る推奨を行うように動作可能なコンピュータ化された推奨生成機能と、を含む。
【００９１】
好ましくは、当該システムはまた、カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にするように動作可能な製品の入手可能性に関するアラート生成機能と、多数のコンピュータ化されたマーケットプレイスに亘る製品に対する許容可能な価格を自動的に確認するように動作可能なコンピュータ化された価格の確認機能と、製品の入手可能性に関するアラートが、事前に確認した製品に対する許容可能な価格を超えない価格における購入に対する製品の入手可能性を示す場合、製品の内の少なくとも１つに対する購入処理を自動的に実行するように動作可能なコンピュータ化された購入機能と、を含む。
【００９２】
好ましくは、当該システムはまた、カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、多数のコンピュータ化されたマーケットプレイスに亘る製品に対する好ましい購入者および許容可能な価格の内の少なくとも１つを自動的に確認するように動作可能なコンピュータ化された価格／好ましい購入者の確認機能と、製品の需要に関するアラートが、事前に確認した製品に対する許容可能な価格以上の価格における製品に対する需要を示すか、または事前に規定された基準に合致する製品の好ましい購入者が特定される場合、製品の内の少なくとも１つに対する購入処理を自動的に実行するように動作可能なコンピュータ化された購入機能と、を含む。
【００９３】
好ましくは、好ましいマーケットプレイスは製品の内の特定の物の入手可能性を基に確かめられる。
【００９４】
好ましくは、当該システムはまた、カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、多数のコンピュータ化されたマーケットプレイスおよび通信チャンネルの内の少なくとも１つを介して製品の需要に関するアラートを発信するように動作可能なコンピュータ化された製品の需要に関するアラート発信機能と、多数の個人のいずれかが多数のコンピュータ化されたマーケットプレイスおよび通信チャンネルの内の少なくとも１つを介して製品の需要に関するアラートに応答することを可能にするように動作可能なコンピュータ化された製品の需要に関するアラート利用機能と、を含む。
【００９５】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。
【００９６】
好ましくは、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも１つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも２つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも３つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも４つを生成するために採用されるように構成されている。
【００９７】
本発明のさらに別の好ましい実施形態に従い、クラウドソーシングによる製品カタログを自動的に採用するための方法も提供されており、当該方法は、多数のマーケットプレイスに亘る、製品の購入、製品の検索、製品に関連する需要に関するアラートの受信、および製品の入手可能性に関するアラートの受信の内の少なくとも１つのためにクラウドソーシングによる製品カタログのあらゆる構造化された多言語のカタログ記載事項を多数の個人のいずれかが採用することを可能にすることと、各製品に対する確立された価格および好ましいインターネットのマーケットプレイスの内の少なくとも１つを自動的に確認することと、製品の購入、製品の検索、製品に関連する需要に関するアラートの受信、および製品に関連する需要に関するアラートの受信の内の少なくとも１つのために、価格の内の少なくとも１つおよび少なくとも１つの好ましいマーケットプレイスの、多数のマーケットプレイスに亘る選択を自動的に行うことと、を含む。
【００９８】
好ましくは、当該方法はまた、カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にすることと、多数のコンピュータ化されたマーケットプレイスに亘る製品に対する許容可能な価格を自動的に確認することと、製品の入手可能性に関するアラートが、事前に確認した製品に対する許容可能な価格を超えない価格を有する製品の入手可能性を示す場合は、自動的に購入処理を実行することと、を含む。
【００９９】
好ましくは、当該方法はまた、カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、多数のコンピュータ化されたマーケットプレイスに亘る製品に対する好ましい購入者および許容可能な価格の内の少なくとも１つを自動的に確認することと、製品の需要に関するアラートが、事前に確認した製品に対する許容可能な価格以上の価格における製品に対する需要を示すか、または事前に規定された基準に合致する製品の購入者が特定される場合、製品の内の少なくとも１つに対する購入処理を自動的に実行することと、を含む。
【０１００】
好ましくは、当該方法はまた、カタログ記載事項に対応する多数の製品のいずれかに関連する製品の需要に関するアラートを、多数の個人のいずれかが要求しかつ受信することを可能にすることと、多数のコンピュータ化されたマーケットプレイスおよび通信チャンネルの内の少なくとも１つを介して製品の需要に関するアラートを発信することと、多数のコンピュータ化されたマーケットプレイスおよび通信チャンネルの内の少なくとも１つを介して、多数の個人のいずれかが製品の需要に関するアラートに応答することを可能にすることと、を含む。
【０１０１】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。
【０１０２】
好ましくは、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも１つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも２つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも３つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも４つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも５つを生成するために採用されるように構成されている。
【０１０３】
本発明のさらに別の好ましい実施形態に従い、クラウドソーシングによる製品カタログを自動的に採用するためのシステムも提供されており、当該システムは、多数のマーケットプレイスに亘る、製品の購入、製品の検索、製品に関連する需要に関するアラートの受信、および製品の入手可能性に関するアラートの受信の内の少なくとも１つのためにクラウドソーシングによる製品カタログのあらゆる構造化された多言語のカタログ記載事項を多数の個人のいずれかが採用することを可能にするように動作可能なカタログ記載事項利用機能と、各製品に対する確立された価格および好ましいインターネットのマーケットプレイスの内の少なくとも１つを自動的に確認するように動作可能なコンピュータ化された価格／マーケットプレイスの確認機能と、製品の購入、製品の検索、製品に関連する需要に関するアラートの受信、および製品に関連する需要に関するアラートの受信の内の少なくとも１つのために、価格の内の少なくとも１つおよび少なくとも１つの好ましいマーケットプレイスの、多数のマーケットプレイスに亘る選択を自動的に行うように動作可能なコンピュータ化された選択機能と、を含む。
【０１０４】
好ましくは、当該システムはまた、カタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にするように動作可能な製品の入手可能性に関するアラート生成機能と、多数のコンピュータ化されたマーケットプレイスに亘る製品に対する許容可能な価格を自動的に確認するように動作可能なコンピュータ化された価格の確認機能と、製品の入手可能性に関するアラートが、事前に確認した製品に対する許容可能な価格を超えない価格における購入に対する製品の入手可能性を示す場合、製品の内の少なくとも１つに対する購入処理を自動的に実行するように動作可能なコンピュータ化された購入機能と、を含む。
【０１０５】
好ましくは、当該システムはまた、カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、多数のコンピュータ化されたマーケットプレイスに亘る製品に対する好ましい購入者および許容可能な価格の内の少なくとも１つを自動的に確認するように動作可能なコンピュータ化された価格／好ましい購入者の確認機能と、製品の需要に関するアラートが、事前に確認した製品に対する許容可能な価格以上の価格における製品に対する需要を示すか、または事前に規定された基準に合致する製品の好ましい購入者が特定される場合、製品の内の少なくとも１つに対する購入処理を自動的に実行するように動作可能なコンピュータ化された購入機能と、を含む。
【０１０６】
好ましくは、当該システムはまた、カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、多数のコンピュータ化されたマーケットプレイスおよび通信チャンネルの内の少なくとも１つを介して製品の需要に関するアラートを発信するように動作可能なコンピュータ化された製品の需要に関するアラート発信機能と、多数の個人のいずれかが多数のコンピュータ化されたマーケットプレイスおよび通信チャンネルの内の少なくとも１つを介して製品の需要に関するアラートに応答することを可能にするように動作可能なコンピュータ化された製品の需要に関するアラート利用機能と、を含む。
【０１０７】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。
【０１０８】
好ましくは、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも１つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも２つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも３つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも４つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも５つを生成するために採用されるように構成されている。
【０１０９】
本発明のさらに別の好ましい実施形態に従い、多数のコンピュータ化されたマーケットプレイスに亘る自動化されコンピュータ化された商業取引のための方法も提供されており、当該方法は、多数の構造化された多言語のカタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にすることと、多数のコンピュータ化されたマーケットプレイスに亘る製品に対する許容可能な価格を自動的に確認することと、製品の入手可能性に関するアラートが、事前に確認した製品に対する許容可能な価格を超えない価格を有する製品の入手可能性を示す場合は、自動的に購入処理を実行することと、を含む。
【０１１０】
好ましくは、当該方法はまた、カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、多数のコンピュータ化されたマーケットプレイスに亘る製品に対する好ましい購入者および許容可能な価格の内の少なくとも１つを自動的に確認することと、製品の需要に関するアラートが、事前に確認した製品に対する許容可能な価格以上の価格における製品に対する需要を示すか、または事前に規定された基準に合致する製品の購入者が特定される場合、製品の内の少なくとも１つに対する購入処理を自動的に実行することと、を含む。
【０１１１】
好ましくは、好ましいマーケットプレイスは製品の内の特定の物の入手可能性を基に確かめられる。
【０１１２】
好ましくは、当該方法はまた、カタログ記載事項に対応する多数の製品のいずれかに関連する製品の需要に関するアラートを、多数の個人のいずれかが要求しかつ受信することを可能にすることと、多数のコンピュータ化されたマーケットプレイスおよび通信チャンネルの内の少なくとも１つを介して製品の需要に関するアラートを発信することと、多数のコンピュータ化されたマーケットプレイスおよび通信チャンネルの内の少なくとも１つを介して、多数の個人のいずれかが製品の需要に関するアラートに応答することを可能にすることと、を含む。
【０１１３】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。
【０１１４】
好ましくは、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも１つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも２つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも３つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも４つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも５つを生成するために採用されるように構成されている。
【０１１５】
本発明のさらに別の好ましい実施形態に従い、多数のコンピュータ化されたマーケットプレイスに亘る自動化されコンピュータ化された商業取引のためのシステムも提供されており、当該システムは、多数の構造化された多言語のカタログ記載事項に対応し、かつ多数のコンピュータ化されたマーケットプレイスに亘る多数の製品のいずれかに関連する製品の入手可能性に関するアラートを、多数の個人のいずれかが要求しかつ受信することを可能にするように動作可能な製品の入手可能性に関するアラート生成機能と、多数のコンピュータ化されたマーケットプレイスに亘る製品に対する許容可能な価格を自動的に確認するように動作可能なコンピュータ化された価格の確認機能と、製品の入手可能性に関するアラートが、事前に確認した製品に対する許容可能な価格を超えない価格における購入に対する製品の入手可能性を示す場合、製品の内の少なくとも１つに対する購入処理を自動的に実行するように動作可能なコンピュータ化された購入機能と、を含む。
【０１１６】
好ましくは、当該システムはまた、カタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、多数のコンピュータ化されたマーケットプレイスに亘る製品に対する好ましい購入者および許容可能な価格の内の少なくとも１つを自動的に確認するように動作可能なコンピュータ化された価格／好ましい購入者の確認機能と、製品の需要に関するアラートが、事前に確認した製品に対する許容可能な価格以上の価格における製品に対する需要を示すか、または事前に規定された基準に合致する製品の好ましい購入者が特定される場合、製品の内の少なくとも１つに対する購入処理を自動的に実行するように動作可能なコンピュータ化された購入機能と、を含む。
【０１１７】
好ましくは、好ましいマーケットプレイスは製品の内の特定の物の入手可能性を基に確かめられる。
【０１１８】
好ましくは、当該システムはまた、カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、多数のコンピュータ化されたマーケットプレイスおよび通信チャンネルの内の少なくとも１つを介して製品の需要に関するアラートを発信するように動作可能なコンピュータ化された製品の需要に関するアラート発信機能と、多数の個人のいずれかが多数のコンピュータ化されたマーケットプレイスおよび通信チャンネルの内の少なくとも１つを介して製品の需要に関するアラートに応答することを可能にするように動作可能なコンピュータ化された製品の需要に関するアラート利用機能と、を含む。
【０１１９】
好ましくは、多数の独立した個人の少なくとも１人が製品の需要に関するアラートに応答することを可能にすることは、需要のある販売対象の製品を出品登録することと、需要のある製品のカタログを生成することと、需要のある製品の販売を実行することの内の少なくとも１つを含む。
【０１２０】
好ましくは、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも１つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも２つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも３つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも４つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも５つを生成するために採用されるように構成されている。
【０１２１】
本発明のさらに別の好ましい実施形態に従い、多数のコンピュータ化されたマーケットプレイスに亘る自動化されコンピュータ化された商業取引のための方法も提供されており、当該方法は、多数の構造化された多言語のカタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にすることと、多数のコンピュータ化されたマーケットプレイスに亘る製品に対する好ましい購入者および許容可能な価格の内の少なくとも１つを自動的に確認することと、製品の需要に関するアラートが、事前に確認した製品に対する許容可能な価格以上の価格における製品に対する需要を示すか、または事前に規定された基準に合致する製品の購入者が特定される場合、製品の内の少なくとも１つに対する購入処理を自動的に実行することと、を含む。
【０１２２】
好ましくは、当該方法はまた、製品の内の特定の物の入手可能性を基に好ましいマーケットプレイスを確認することを含む。好ましくは、当該方法はまた、カタログ記載事項に対応する多数の製品のいずれかに関連する製品の需要に関するアラートを、多数の個人のいずれかが要求しかつ受信することを可能にすることと、多数のコンピュータ化されたマーケットプレイスおよび通信チャンネルの内の少なくとも１つを介して製品の需要に関するアラートを発信することと、多数のコンピュータ化されたマーケットプレイスおよび通信チャンネルの内の少なくとも１つを介して、多数の個人のいずれかが製品の需要に関するアラートに応答することを可能にすることと、を含む。
【０１２３】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。
【０１２４】
好ましくは、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも１つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも２つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも３つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも４つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも５つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも６つを生成するために採用されるように構成されている。
【０１２５】
本発明のさらに別の好ましい実施形態に従い、多数のコンピュータ化されたマーケットプレイスに亘る自動化されコンピュータ化された商業取引のためのシステムも提供されており、当該システムは、多数の構造化された多言語のカタログ記載事項に対応し、かつ多数のコンピュータ化されたマーケットプレイスに亘る多数の製品のいずれかに関連する製品の需要に関するアラートを、多数の個人のいずれかが要求しかつ受信することを可能にするように動作可能な製品の需要に関するアラート生成機能と、多数のコンピュータ化されたマーケットプレイスに亘る製品に対する好ましい購入者および許容可能な価格の内の少なくとも１つを自動的に確認するように動作可能なコンピュータ化された価格／好ましい購入者の確認機能と、製品の需要に関するアラートが、事前に確認した製品に対する許容可能な価格以上の価格における製品に対する需要を示すか、または事前に規定された基準に合致する製品の好ましい購入者が特定される場合、製品の内の少なくとも１つに対する購入処理を自動的に実行するように動作可能なコンピュータ化された購入機能と、を含む。
【０１２６】
好ましくは、コンピュータ化された価格／好ましい購入者の確認機能は、製品の内の特定の物の入手可能性を基に好ましいマーケットプレイスを確認するように動作可能である。
【０１２７】
好ましくは、当該システムはまた、カタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、多数のコンピュータ化されたマーケットプレイスおよび通信チャンネルの内の少なくとも１つを介して製品の需要に関するアラートを発信するように動作可能なコンピュータ化された製品の需要に関するアラート発信機能と、多数の個人のいずれかが多数のコンピュータ化されたマーケットプレイスおよび通信チャンネルの内の少なくとも１つを介して製品の需要に関するアラートに応答することを可能にするように動作可能なコンピュータ化された製品の需要に関するアラート利用機能と、を含む。
【０１２８】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。
【０１２９】
好ましくは、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも１つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも２つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも３つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも４つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも５つを生成するために採用されるように構成されている。代替的には、それぞれが製品に対応しているカタログ記載事項は、販売対象の製品の新たな出品登録、新たなカタログ記載事項、製品購入の要求、製品情報に対する要求、コレクタのカタログ、より大きなカタログの一部を構成するサブカタログ、情報の投稿、製品の需要の最新情報の受信の要求、および製品の入手可能性の最新情報の内の少なくとも６つを生成するために採用されるように構成されている。
【０１３０】
本発明のさらに別の好ましい実施形態に従い、コンピュータ化された商業取引のための方法も提供されており、当該方法は、多数の構造化された多言語のカタログ記載事項に対応する多数の製品のいずれかに関連する製品の需要に関するアラートを、多数の個人のいずれかが要求しかつ受信することを可能にすることと、多数のコンピュータ化されたマーケットプレイスおよび通信チャンネルの内の少なくとも１つを介して製品の需要に関するアラートを発信することと、多数のコンピュータ化されたマーケットプレイスおよび通信チャンネルの内の少なくとも１つを介して、多数の個人のいずれかが製品の需要に関するアラートに応答することを可能にすることと、を含む。
【０１３１】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。
【０１３２】
本発明のさらに別の好ましい実施形態に従い、コンピュータ化された商業取引のためのシステムも提供されており、当該システムは、多数の構造化された多言語のカタログ記載事項に対応する多数の製品のいずれかに関連する製品の需要に関するアラートを、多数の個人のいずれかが要求しかつ受信することを可能にするように動作可能なコンピュータ化された製品の需要に関するアラート生成機能と、多数のコンピュータ化されたマーケットプレイスおよび通信チャンネルの内の少なくとも１つを介して製品の需要に関するアラートを発信するように動作可能なコンピュータ化された製品の需要に関するアラート発信機能と、多数の個人のいずれかが多数のコンピュータ化されたマーケットプレイスおよび通信チャンネルの内の少なくとも１つを介して製品の需要に関するアラートに応答することを可能にするように動作可能なコンピュータ化された製品の需要に関するアラート利用機能と、を含む。
【０１３３】
好ましくは、多数の個人のいずれかが製品の需要に関するアラートに応答することを可能にすることは、需要のある販売対象の製品を出品登録することと、需要のある製品のカタログを生成することと、需要のある製品の販売を実行することの内の少なくとも１つを含む。
【０１３４】
本発明は、以下の図面と併せて、以下の詳細な説明によってより完全に理解できるであろう。
【図面の簡単な説明】
【０１３５】
【図１Ａ】図１Ａは、本発明の好ましい一実施形態に従って構成され動作可能なクラウドソーシングによる製品カタログを生成するためのシステムを示す簡素化されたブロック図である。
【図１Ｂ】図１Ｂは、図１Ａのシステムの動作の工程を示す簡素化されたフローチャートである。
【図２Ａ】図２Ａは、本発明の別の好ましい実施形態に従って構成され動作可能なクラウドソーシングによる製品カタログを生成するためのシステムを示す簡素化されたブロック図である。
【図２Ｂ】図２Ｂは、図２Ａのシステムの動作の工程を示す簡素化されたフローチャートである。
【図３Ａ】図３Ａは、本発明のさらに別の好ましい実施形態に従って構成され動作可能なクラウドソーシングによる製品カタログを生成するためのシステムを示す簡素化されたブロック図である。
【図３Ｂ】図３Ｂは、図３Ａのシステムの動作の工程を示す簡素化されたフローチャートである。
【図４Ａ】図４Ａは、本発明のさらに別の好ましい実施形態に従って構成され動作可能なクラウドソーシングによるカタログを、販売対象の製品を出品登録するために採用するためのシステムを示す簡素化されたブロック図である。
【図４Ｂ】図４Ｂは、図４Ａのシステムの動作の工程を示す簡素化されたフローチャートである。
【図５Ａ】図５Ａは、本発明の別の好ましい実施形態に従って構成され動作可能なクラウドソーシングによるカタログを、販売対象の製品を出品登録するために採用するためのシステムを示す簡素化されたブロック図である。
【図５Ｂ】図５Ｂは、図５Ａのシステムの動作の工程を示す簡素化されたフローチャートである。
【図６Ａ】図６Ａは、本発明のさらに別の好ましい実施形態に従って構成され動作可能なクラウドソーシングによるカタログを自動的に採用するためのシステムを示す簡素化されたブロック図である。
【図６Ｂ】図６Ｂは、図６Ａのシステムの動作の工程を示す簡素化されたフローチャートである。
【図７Ａ】図７Ａは、本発明のさらに別の好ましい実施形態に従って構成され動作可能なクラウドソーシングによるカタログを自動的に採用するためのシステムを示す簡素化されたブロック図である。
【図７Ｂ】図７Ｂは、図７Ａのシステムの動作の工程を示す簡素化されたフローチャートである。
【図８Ａ】図８Ａは、本発明のさらに別の好ましい実施形態に従って構成され動作可能な、自動化されコンピュータ化された商業取引のためのシステムを示す簡素化されたブロック図である。
【図８Ｂ】図８Ｂは、図８Ａのシステムの動作の工程を示す簡素化されたフローチャートである。
【図９Ａ】図９Ａは、本発明のさらに別の好ましい実施形態に従って構成され動作可能な、自動化されコンピュータ化された商業取引のためのシステムを示す簡素化されたブロック図である。
【図９Ｂ】図９Ｂは、図９Ａのシステムの動作の工程を示す簡素化されたフローチャートである。
【図１０Ａ】図１０Ａは、本発明のさらに別の好ましい実施形態に従って構成され動作可能な、コンピュータ化された商業取引のためのシステムを示す簡素化されたブロック図である。
【図１０Ｂ】図１０Ｂは、図１０Ａのシステムの動作の工程を示す簡素化されたフローチャートである。
【発明を実施するための形態】
【０１３６】
好ましい態様の詳細な説明
本発明の好ましい一実施形態に従って構成され動作可能なクラウドソーシングによる製品カタログを生成するためのシステムを示す簡素化されたブロック図である図１Ａを参照し、図１Ａのシステムの動作の工程を示す簡素化されたフローチャートである図１Ｂを参照する。本出願の目的のために、「クラウドソーシングによる製品カタログ」という記載は、特に、好ましくは多数のユーザによって相互に生成されるオンライン製品カタログを含むと規定される。クラウドソーシングによる製品カタログの各カタログ記載事項は、好ましくは、たとえば、製品の仕様、特定の製品の販売者、特定の製品の購入者、特定の製品のためのマーケットプレイス、ならびに製品の入手可能性および需要などの特定の製品の販売に関連する情報を含む。
【０１３７】
図１Ａのシステム１００は、好ましくは、インターネット１０４に接続されたコンピュータサーバ１０２などの、適切なコンピューティングデバイス上に存在する。システム１００のユーザは一般的に、デスクトップもしくはラップトップコンピュータ、または移動通信デバイスなどのインターネット可能コンピューティングデバイス１０６を採用することによりインターネットを介してシステム１００にアクセスする。システム１００のユーザには一般的に、たとえば、販売対象の物品を出品登録する製品販売者、製品購入者、インターネットのマーケットプレイスのオペレータ、製品コレクタ、情報投稿者、製品情報の要求者、製品の需要に関連する最新情報の要求者、および製品の入手可能性に関連する最新情報の要求者が含まれる。
【０１３８】
システム１００は、好ましくは、システム１００のユーザが、事前にカタログ化されていない物品に対して、構造化された多言語のデータフォーマットでクラウドソーシングによる製品カタログ１１４内にカタログ記載事項１１２を生成することを可能にするように動作可能な、クラウドソーシングによる製品カタログ記載事項生成機能１１０を含む。カタログ記載事項１１２の構造化された多言語のフォーマットは、システム１００のユーザが多言語のいずれかでカタログ記載事項１１２を生成することを可能にし、かつシステム１００の他のユーザがカタログ記載事項１１２を多言語のいずれかで見ることを可能にするのに役立ち、それにより国際的な多言語の電子取引を容易にすることが理解される。
【０１３９】
クラウドソーシングによる製品カタログ１１４は、好ましくは、システム１００にアクセス可能な製品カタログデータベース１１６内に保存されている。カタログ記載事項１１２は、たとえば、販売対象の製品の出品登録、その中に記載されている製品の購入の要求、その中の記載に関連する情報の要求、コレクタのカタログの作成、クラウドソーシングによるものではない可能性のあるより大きな製品カタログの一部を構成するサブカタログの生成、その中に記載されている製品に対する需要に関連する最新情報の要求、およびその中に記載されている製品の入手可能性に関連する最新情報の要求のために採用されてもよい。
【０１４０】
クラウドソーシングによる製品カタログ生成機能１１０は一般的に、中古品などの、それに対してカタログ記載事項がクラウドソーシングによる製品カタログ１１４内に一般的に事前に存在しない、事前にカタログ化されていない物品に対するカタログ記載事項を準備するための構造化されたデータフォーマットを提供する。事前にカタログ化されていない物品に対するカタログ記載事項を生成するための好ましいシステムが、米国特許公報第２０１２／０１０９７８６号に記載されている。代替的には、カタログ記載事項生成のためのあらゆる適切なシステムを利用してもよい。
【０１４１】
システム１００はまた、好ましくは、システム１００のユーザが、クラウドソーシングによる製品カタログ１１４内に存在するあらゆるカタログ記載事項１１２を、カタログ記載事項の少なくとも１つのパラメータまたはその値に対して、追加、削除、または修正のいずれかを行うことにより、新たなまたは修正されたカタログ記載事項を生成するためのテンプレートとして採用することを可能にするように動作可能なカタログ記載事項のリサイクル機能１２０も含む。新たなまたは修正されたカタログ記載事項は、たとえば、販売対象の新たな製品の出品登録、クラウドソーシングによる製品カタログ１１４内の新たなカタログ記載事項、製品に対する購入の要求、製品情報の要求、コレクタのカタログ、クラウドソーシングによるものではない可能性のあるより大きな製品カタログの一部を構成するサブカタログ、製品の需要に関連する最新情報の要求、および製品の入手可能性に関連する最新情報の要求を生成するために採用されてもよい。カタログ記載事項のリサイクル機能１２０は、多数のカタログ記載事項の少なくとも１つのパラメータに対して、同時に追加、削除または修正のいずれかを行うことにより、多数の新たなまたは修正したカタログ記載事項を同時に生成するために採用されてもよいことが理解される。
【０１４２】
製品カタログ生成機能１１０およびカタログ記載事項のリサイクル機能１２０の両方が同一のユーザによって採用されてもよいことが理解される。代替的には、カタログ記載事項のリサイクル機能１２０を採用しているユーザの少なくとも何人かは、製品カタログ生成機能１１０を採用するユーザ以外のユーザであってもよい。
【０１４３】
図１Ｂを参照すると、クラウドソーシングによる製品カタログ内にカタログ記載事項を生成することを希望する第１の個人は一般的に、インターネットを介して、図１Ａのクラウドソーシングによる製品カタログ記載事項生成器１１０に最初にアクセスして（１５０）、事前にカタログ化されていない物品に対するカタログ記載事項を生成するために、クラウドソーシングによる製品カタログ記載事項生成器１１０を採用する（１５２）ことが示されている。
【０１４４】
図１Ｂにさらに示すように、クラウドソーシングによる製品カタログ内のカタログ記載事項の生成に続いて、第２の個人が、好ましくは、インターネットを介して図１Ｂのカタログ記載事項のリサイクル機能１２０にアクセスして（１６０）、クラウドソーシングによる製品カタログ内に存在するカタログ記載事項を、カタログ記載事項の少なくとも１つのパラメータを修正することにより修正されたカタログ記載事項を生成するためのテンプレートとして採用するために、カタログ記載事項のリサイクル機能１２０を採用する（１６２）。
【０１４５】
次に、本発明の別の好ましい実施形態に従って構成され動作可能なクラウドソーシングによる製品カタログを生成するためのシステムを示す簡素化されたブロック図である図２Ａを参照し、図２Ａのシステムの動作の工程を示す簡素化されたフローチャートである図２Ｂを参照する。
【０１４６】
図２Ａのシステム２００は、好ましくは、インターネット２０４に接続されたコンピュータサーバ２０２などの、適切なコンピューティングデバイス上に存在する。システム２００のユーザは一般的に、デスクトップもしくはラップトップコンピュータ、または移動通信デバイスなどのインターネット可能コンピューティングデバイス２０６を採用することによりインターネットを介してシステム２００にアクセスする。システム２００のユーザには一般的に、たとえば、販売対象の物品を出品登録する製品販売者、製品購入者、インターネットのマーケットプレイスのオペレータ、製品コレクタ、情報投稿者、製品情報の要求者、製品の需要に関連する最新情報の要求者、および製品の入手可能性に関連する最新情報の要求者が含まれる。
【０１４７】
システム２００は、好ましくは、システム２００のユーザが、クラウドソーシングによる製品カタログ２１４内に存在するカタログ記載事項をコピーすることと、クラウドソーシングによる製品カタログ２１４内に存在するカタログ記載事項を修正することと、クラウドソーシングによる製品カタログ２１４内に新たなカタログ記載事項を生成することの内の少なくとも１つによって、クラウドソーシングによる製品カタログ２１４内に構造化された多言語のカタログ記載事項２１２を生成することを可能にするように動作可能なクラウドソーシングによる製品カタログ記載事項の生成機能２１０を含む。
【０１４８】
カタログ記載事項２１２は、たとえば、販売対象の製品の出品登録、その中に記載されている製品の購入の要求、その中の記載に関連する情報の要求、コレクタのカタログの作成、クラウドソーシングによるものではない可能性のあるより大きな製品カタログの一部を構成するサブカタログの生成、その中に記載されている製品に対する需要に関連する最新情報の要求、およびその中に記載されている製品の入手可能性に関連する最新情報の要求のために採用されてもよい。
【０１４９】
クラウドソーシングによる製品カタログ生成機能２１０は一般的に、中古品などの、それに対してカタログ記載事項がクラウドソーシングによる製品カタログ２１４内に一般的に事前に存在しない、事前にカタログ化されていない物品に対するカタログ記載事項を準備するための構造化された多言語のデータフォーマットを提供する。事前にカタログ化されていない物品に対するカタログ記載事項を生成するための好ましいシステムが、米国特許公報第２０１２／０１０９７８６号に記載されている。代替的には、カタログ記載事項生成のためのあらゆる適切なシステムを利用してもよい。
【０１５０】
システム２００はまた、好ましくは、クラウドソーシングによる製品カタログ２１４内のカタログ記載事項２１２を、カタログ記載事項２１２を生成したユーザではなく、少なくともユーザによるそれらの使用に基づいて、自動的にランク付けするように動作可能なコンピュータ化された自動ランク付け機能２２０を含む。一般的に、自動ランク付けは、たとえば、他のユーザのいずれかが注目するように、カタログ記載事項２１２の使用の範囲、修正、追加、削除、および訂正の内の少なくとも１つに基づいている。
【０１５１】
コンピュータ化された自動ランク付け機能２２０によって生成されるランク付け情報は、好ましくは、たとえば、色コードまたは数字コードの一覧表を用いて表示された提示の順序によるなどの多数のフォーマットのいずれかでシステム２００のユーザに入手可能であることが理解される。
【０１５２】
図２Ｂを参照すると、クラウドソーシングによる製品カタログ内にカタログ記載事項を生成することを希望する個人は一般的に、インターネットを介して、図２Ａのクラウドソーシングによる製品カタログ記載事項生成機能２１０に最初にアクセスして（２５０）、事前にカタログ化されていない物品に対するカタログ記載事項を生成するために、クラウドソーシングによる製品カタログ記載事項生成機能２１０を採用する（２５２）ことが示されている。
【０１５３】
図２Ｂにさらに示すように、クラウドソーシングによる製品カタログ内のカタログ記載事項の生成に続いて、クラウドソーシングによる製品カタログ内のカタログ記載事項が、少なくとも他の個人によるそれらの使用に基づいて自動的にランク付けされる（２６０）。
【０１５４】
次に、本発明のさらに別の好ましい実施形態に従って構成され動作可能なクラウドソーシングによる製品カタログを生成するためのシステムを示す簡素化されたブロック図である図３Ａを参照し、図３Ａのシステムの動作の工程を示す簡素化されたフローチャートである図３Ｂを参照する。
【０１５５】
図３Ａのシステム３００は、好ましくは、インターネット３０４に接続されたコンピュータサーバ３０２などの、適切なコンピューティングデバイス上に存在する。システム３００のユーザは一般的に、デスクトップもしくはラップトップコンピュータ、または移動通信デバイスなどのインターネット可能コンピューティングデバイス３０６を採用することによりインターネットを介してシステム３００にアクセスする。システム３００のユーザには一般的に、たとえば、販売対象の物品を出品登録する製品販売者、製品購入者、インターネットのマーケットプレイスのオペレータ、製品コレクタ、情報投稿者、製品情報の要求者、製品の需要に関連する最新情報の要求者、および製品の入手可能性に関連する最新情報の要求者が含まれる。
【０１５６】
システム３００は、好ましくは、システム３００のユーザが、クラウドソーシングによる製品カタログ３１４内の、それぞれ製品に対応している、構造化された多言語のカタログ記載事項３１２を、事前にカタログ化されていない物品に対して生成することを可能にするように動作可能なクラウドソーシングによる製品カタログ記載事項の生成機能３１０を含む。クラウドソーシングによる製品カタログ３１４は、好ましくは、システム３００にアクセス可能な製品カタログデータベース３１６に保存される。カタログ記載事項３１２は、たとえば、販売対象の製品の出品登録、その中に記載されている製品の購入の要求、その中の記載に関連する情報の要求、コレクタのカタログの作成、クラウドソーシングによるものではない可能性のあるより大きな製品カタログの一部を構成するサブカタログの生成、その中に記載されている製品に対する需要に関連する最新情報の要求、およびその中に記載されている製品の入手可能性に関連する最新情報の要求のために採用されてもよい。
【０１５７】
クラウドソーシングによる製品カタログ生成機能３１０は一般的に、中古品などの、それに対してカタログ記載事項がクラウドソーシングによる製品カタログ３１４内に一般的に事前に存在しない、事前にカタログ化されていない物品に対するカタログ記載事項を準備するための構造化されたデータフォーマットを提供する。事前にカタログ化されていない物品に対するカタログ記載事項を生成するための好ましいシステムが、米国特許公報第２０１２／０１０９７８６号に記載されている。代替的には、カタログ記載事項生成のためのあらゆる適切なシステムを利用してもよい。
【０１５８】
システム３００はまた、好ましくは、製品に対応するカタログ記載事項３１２のそれぞれに対してユーザ検索可能な一意的なコードを自動的に確立するように動作可能なコンピュータ化されたコード生成機能３２０を含み、ユーザ検索可能な一意的なコードは、販売対象の対応する製品の出品登録、対応する製品の購入、対応する製品に関連する情報の取得、および対応する製品に関連する最新情報の要求の内の少なくとも１つのために有用である。
【０１５９】
図３Ｂを参照すると、クラウドソーシングによる製品カタログ内にカタログ記載事項を生成することを希望する第１の個人は一般的に、インターネットを介して、図３Ａのクラウドソーシングによる製品カタログ記載事項生成器３１０に最初にアクセスして（３５０）、事前にカタログ化されていない物品に対する、製品に対応するカタログ記載事項を生成するために、クラウドソーシングによる製品カタログ記載事項生成器３１０を採用する（３５２）ことが示されている。
【０１６０】
図３Ｂにさらに示すように、クラウドソーシングによる製品カタログ内のカタログ記載事項の生成に続いて、カタログ記載事項に対してユーザ検索可能な一意的なコードが自動的に確立され（３６０）、販売対象の対応する製品の出品登録、対応する製品の購入、対応する製品に関連する情報の取得、および対応する製品に関連する最新情報の要求の内の少なくとも１つのために、ユーザ検索可能な一意的なコードが多数の個人に対して利用可能にされる（３６２）。
【０１６１】
次に、本発明のさらに別の好ましい実施形態に従って構成され動作可能な、販売対象の製品を出品登録するためのクラウドソーシングによるカタログを採用するためのシステムを示す簡素化されたブロック図である図４Ａを参照し、図４Ａのシステムの動作の工程を示す簡素化されたフローチャートである図４Ｂを参照する。
【０１６２】
図４Ａのシステム４００は、好ましくは、インターネット４０４に接続されたコンピュータサーバ４０２などの、適切なコンピューティングデバイス上に存在する。システム４００のユーザは一般的に、デスクトップもしくはラップトップコンピュータ、または移動通信デバイスなどのインターネット可能コンピューティングデバイス４０６を採用することによりインターネットを介してシステム４００にアクセスする。システム４００のユーザには一般的に、たとえば、販売対象の物品を出品登録する製品販売者、製品購入者、インターネットのマーケットプレイスのオペレータ、製品コレクタ、情報投稿者、製品情報の要求者、製品の需要に関連する最新情報の要求者、および製品の入手可能性に関連する最新情報の要求者が含まれる。
【０１６３】
システム４００は、好ましくは、システム４００のユーザが、クラウドソーシングによる製品カタログ４１４内の、それぞれ製品に対応している、構造化された多言語のカタログ記載事項４１２を生成することを可能にするように動作可能なクラウドソーシングによる製品カタログ記載事項の生成機能４１０を含む。クラウドソーシングによる製品カタログ４１４は、好ましくは、システム４００にアクセス可能な製品カタログデータベース４１６に保存される。カタログ記載事項４１２は、たとえば、販売対象の製品の出品登録、その中に記載されている製品の購入の要求、その中の記載に関連する情報の要求、コレクタのカタログの作成、クラウドソーシングによるものではない可能性のあるより大きな製品カタログの一部を構成するサブカタログの生成、その中に記載されている製品に対する需要に関連する最新情報の要求、およびその中に記載されている製品の入手可能性に関連する最新情報の要求のために採用されてもよい。
【０１６４】
クラウドソーシングによる製品カタログ生成機能４１０は一般的に、中古品などの、それに対してカタログ記載事項がクラウドソーシングによる製品カタログ４１４内に一般的に事前に存在しない、事前にカタログ化されていない物品に対するカタログ記載事項を準備するための構造化されたデータフォーマットを提供する。事前にカタログ化されていない物品に対するカタログ記載事項を生成するための好ましいシステムが、米国特許公報第２０１２／０１０９７８６号に記載されている。代替的には、カタログ記載事項生成のためのあらゆる適切なシステムを利用してもよい。
【０１６５】
システム４００はまた、好ましくは、カタログ記載事項４１２内に記載された製品に対して確立された価格および好ましいインターネットのマーケットプレイス４２５の内の少なくとも１つを自動的に確認するように動作可能なコンピュータ化された市場価格およびマーケットプレイスの確認機能４２０を含む。システム４００は、好ましくは、カタログ記載事項４１２内に記載された販売対象の製品を出品登録するために、確立された価格および好ましいマーケットプレイスの内の少なくとも１つを多数の個人のいずれかに自動的に推奨するように動作可能なコンピュータ化された推奨生成機能４３０をさらに含む。推奨は、販売対象の製品の新たな出品登録、クラウドソーシングによる製品カタログ４１４内の新たなカタログ記載事項、製品の購入の要求、製品の情報の要求、コレクタのカタログ、クラウドソーシングによるものではない可能性のあるより大きな製品カタログの一部を構成するサブカタログ、製品に対する需要に関連する最新情報の要求、および製品の入手可能性に関連する最新情報の要求の生成のために、多数の個人の内のいずれかによって採用されてもよいことが理解される。
【０１６６】
図４Ｂを参照すると、クラウドソーシングによる製品カタログ内にカタログ記載事項を生成することを希望する第１の個人は一般的に、インターネットを介して、図４Ａのクラウドソーシングによる製品カタログ記載事項生成器４１０に最初にアクセスして（４５０）、製品に対応するカタログ記載事項を生成するために、クラウドソーシングによる製品カタログ記載事項生成器４１０を採用する（４５２）ことが示されている。
【０１６７】
図４Ｂにさらに示すように、クラウドソーシングによる製品カタログ内のカタログ記載事項の生成に続いて、カタログ記載事項が多数のユーザに対して使用可能にされ（４５４）、製品に対して確立された価格および好ましいインターネットのマーケットプレイスが自動的に確かめられることを可能にする（４６０）。その後、販売対象の製品を出品登録するために、確立された価格および好ましいマーケットプレイスの内の少なくとも１つが多数の個人の内のいずれかに自動的に推奨される（４６２）。
【０１６８】
次に、本発明の別の好ましい実施形態に従って構成され動作可能な、販売対象の製品を出品登録するためのクラウドソーシングによるカタログを採用するためのシステムを示す簡素化されたブロック図である図５Ａを参照し、図５Ａのシステムの動作の工程を示す簡素化されたフローチャートである図５Ｂを参照する。
【０１６９】
図５Ａのシステム５００は、好ましくは、インターネット５０４に接続されたコンピュータサーバ５０２などの、適切なコンピューティングデバイス上に存在する。システム５００のユーザは一般的に、デスクトップもしくはラップトップコンピュータ、または移動通信デバイスなどのインターネット可能コンピューティングデバイス５０６を採用することによりインターネットを介してシステム５００にアクセスする。システム５００のユーザには一般的に、たとえば、販売対象の物品を出品登録する製品販売者が含まれる。
【０１７０】
システム５００は、好ましくは、システム５００のユーザが、クラウドソーシングによる製品カタログ５１４内の、それぞれ製品に対応している、構造化された多言語のカタログ記載事項５１２を生成することを可能にするように動作可能なクラウドソーシングによる製品カタログ記載事項の生成機能５１０を含む。クラウドソーシングによる製品カタログ５１４は、好ましくは、システム５００にアクセス可能な製品カタログデータベース５１６に保存される。カタログ記載事項５１２は、たとえば、販売対象の製品の出品登録、その中に記載されている製品の購入の要求、その中の記載に関連する情報の要求、コレクタのカタログの作成、クラウドソーシングによるものではない可能性のあるより大きな製品カタログの一部を構成するサブカタログの生成、その中に記載されている製品に対する需要に関連する最新情報の要求、およびその中に記載されている製品の入手可能性に関連する最新情報の要求のために採用されてもよい。
【０１７１】
クラウドソーシングによる製品カタログ生成機能５１０は一般的に、中古品などの、それに対してカタログ記載事項がクラウドソーシングによる製品カタログ５１４内に一般的に事前に存在しない、事前にカタログ化されていない物品に対するカタログ記載事項を準備するための構造化されたデータフォーマットを提供する。事前にカタログ化されていない物品に対するカタログ記載事項を生成するための好ましいシステムが、米国特許公報第２０１２／０１０９７８６号に記載されている。代替的には、カタログ記載事項生成のためのあらゆる適切なシステムを利用してもよい。
【０１７２】
システム５００はまた、好ましくは、カタログ記載事項５１２に記載された製品に対して確立された価格および好ましいインターネットのマーケットプレイス５２５の内の少なくとも１つを自動的に確認するように動作可能なコンピュータ化された市場価格およびマーケットプレイスの確認機能５２０を含む。システム５００は、好ましくは、販売対象の製品を確認した価格の内の少なくとも１つで、好ましいマーケットプレイス５２５の内の少なくとも１つにおいて自動的に出品登録するように動作可能なコンピュータ化されたリスト生成機能５３０をさらに含む。
【０１７３】
図５Ｂを参照すると、クラウドソーシングによる製品カタログ内にカタログ記載事項を生成することを希望する第１の個人は一般的に、インターネットを介して、図５Ａのクラウドソーシングによる製品カタログ記載事項生成器５１０に最初にアクセスして（５５０）、製品に対応するカタログ記載事項を生成するために、クラウドソーシングによる製品カタログ記載事項生成器５１０を採用する（５５２）ことが示されている。
【０１７４】
図５Ｂにさらに示すように、クラウドソーシングによる製品カタログ内のカタログ記載事項の生成に続いて、カタログ記載事項が多数のユーザに対して使用可能にされ（５５４）、製品に対して確立された価格および好ましいインターネットのマーケットプレイスが自動的に確かめられることを可能にする（５６０）。その後、製品は販売のために、確かめられた価格の内の少なくとも１つで、好ましいマーケットプレイスの内の少なくとも１つにおいて自動的に出品登録される（５６２）。
【０１７５】
次に、本発明のさらに別の好ましい実施形態に従って構成され動作可能な、販売対象の製品を出品登録するためのクラウドソーシングによるカタログを採用するためのシステムを示す簡素化されたブロック図である図６Ａを参照し、図６Ａのシステムの動作の工程を示す簡素化されたフローチャートである図６Ｂを参照する。
【０１７６】
図６Ａのシステム６００は、好ましくは、インターネット６０４に接続されたコンピュータサーバ６０２などの、適切なコンピューティングデバイス上に存在する。システム６００のユーザは一般的に、デスクトップもしくはラップトップコンピュータ、または移動通信デバイスなどのインターネット可能コンピューティングデバイス６０６を採用することによりインターネットを介してシステム６００にアクセスする。システム６００のユーザには一般的に、たとえば、販売対象の物品を出品登録する製品販売者が含まれる。
【０１７７】
システム６００は、好ましくは、多数のマーケットプレイスに亘る、製品の購入、製品の検索、製品に関連する需要に関するアラートの受信、および製品の入手可能性に関するアラートの受信の内の少なくとも１つのために、それぞれ製品に対応している、クラウドソーシングによる製品カタログ６１４の構造化された多言語のカタログ記載事項６１２を、システム６００のユーザが採用することを可能にするように動作可能なカタログ記載事項利用機能６１０を含む。クラウドソーシングによる製品カタログ６１４は、好ましくは、システム６００にアクセス可能な製品カタログデータベース６１６に保存される。
【０１７８】
システム６００はまた、好ましくは、カタログ記載事項６１２内に記載された製品に対して確立された価格および好ましいインターネットのマーケットプレイス６２５の内の少なくとも１つを自動的に確認するように動作可能なコンピュータ化された市場価格およびマーケットプレイスの確認機能６２０を含む。システム６００は、好ましくは、カタログ記載事項６１２内に記載された製品の購入、カタログ記載事項６１２内に記載された製品の検索、カタログ記載事項６１２内に記載された製品に関連する需要に関するアラートの受信、およびカタログ記載事項６１２内に記載された製品に関連する需要に関するアラートの受信の内の少なくとも１つのために、確立された価格および好ましいマーケットプレイスの内の少なくとも１つについて、多数の個人のいずれかに対して自動的に推奨を行うように動作可能なコンピュータ化された推奨生成機能６３０をさらに含む。推奨は、好ましくは、多数のマーケットプレイスに亘っていることが理解される。
【０１７９】
図６Ｂを参照すると、第１の個人は、製品の購入、製品の検索、製品に関連する需要に関するアラートの受信、および製品に関連しかつ多数のマーケットプレイスに亘る製品入手可能性に関するアラートの受信の内の少なくとも１つのために、図６Ａのクラウドソーシングによる製品カタログの、製品に対応したあらゆるカタログ記載事項を採用することが示されている（６５０）。
【０１８０】
図６Ｂにさらに示すように、たとえば、販売対象の製品を出品登録(list)するために、カタログ記載事項が、好ましくは、多数のユーザによってさらに採用された後（６５２）、製品に対して確立された価格および好ましいインターネットのマーケットプレイスがその後、自動的に確かめられる（６６０）。その後、ユーザに推奨が提供され（６６２）、推奨は、製品の購入、製品の検索、製品に関連する需要に関するアラートの受信、および製品に関連する需要に関するアラートの受信の内の少なくとも１つのために、確立された価格および好ましいマーケットプレイスの内の少なくとも１つに関し、かつ多数のマーケットプレイスに亘る。
【０１８１】
次に、本発明のさらに別の好ましい実施形態に従って構成され動作可能な、クラウドソーシングによる製品カタログを自動的に採用するためのシステムを示す簡素化されたブロック図である図７Ａを参照し、図７Ａのシステムの動作の工程を示す簡素化されたフローチャートである図７Ｂを参照する。
【０１８２】
図７Ａのシステム７００は、好ましくは、インターネット７０４に接続されたコンピュータサーバ７０２などの、適切なコンピューティングデバイス上に存在する。システム７００のユーザは一般的に、デスクトップもしくはラップトップコンピュータ、または移動通信デバイスなどのインターネット可能コンピューティングデバイス７０６を採用することによりインターネットを介してシステム７００にアクセスする。システム７００のユーザには一般的に、たとえば、販売対象の物品を出品登録する製品販売者が含まれる。
【０１８３】
システム７００は、好ましくは、多数のマーケットプレイスに亘る、製品の購入、製品の検索、製品に関連する需要に関するアラートの受信、および製品の入手可能性に関するアラートの受信の内の少なくとも１つのために、それぞれ製品に対応している、クラウドソーシングによる製品カタログ７１４の構造化された多言語のカタログ記載事項７１２を、システム７００のユーザが採用することを可能にするように動作可能なカタログ記載事項利用機能７１０を含む。クラウドソーシングによる製品カタログ７１４は、好ましくは、システム７００にアクセス可能な製品カタログデータベース７１６に保存される。
【０１８４】
システム７００はまた、好ましくは、カタログ記載事項７１２内に記載された製品に対して確立された価格および好ましいインターネットのマーケットプレイスの内の少なくとも１つを自動的に確認するように動作可能なコンピュータ化された市場価格およびマーケットプレイスの確認機能７２０を含む。システム７００は、好ましくは、カタログ記載事項７１２内に記載された製品のいずれかの購入、カタログ記載事項７１２内に記載された製品のいずれかの検索、カタログ記載事項７１２内に記載された製品のいずれかに関連する需要に関するアラートの受信、およびカタログ記載事項７１２内に記載された製品のいずれかに関連する需要に関するアラートの受信の内の少なくとも１つのために、確立された価格および好ましいマーケットプレイスの内の少なくとも１つを、自動的に選択するように動作可能なコンピュータ化された選択機能７３０をさらに含む。選択は、好ましくは、多数のマーケットプレイスに亘っていることが理解される。
【０１８５】
図７Ｂを参照すると、第１の個人は、製品の購入、製品の検索、製品に関連する需要に関するアラートの受信、および製品に関連しかつ多数のマーケットプレイスに亘る製品の入手可能性に関するアラートの受信の内の少なくとも１つのために、図７Ａのクラウドソーシングによる製品カタログの、製品に対応したあらゆるカタログ記載事項を採用することが示されている（７５０）。
【０１８６】
図７Ｂにさらに示すように、たとえば、販売対象の製品を出品登録するために、カタログ記載事項が、好ましくは、多数のユーザによってさらに採用された後（７５２）、製品に対して確立された価格および好ましいインターネットのマーケットプレイスがその後自動的に確かめられる（７６０）。その後、製品の購入、製品の検索、製品に関連する需要に関するアラートの受信、および製品に関連する需要に関するアラートの受信の内の少なくとも１つのために、確立された価格および好ましいマーケットプレイスの内の少なくとも１つが選択され、選択は多数のマーケットプレイスに亘る（７６２）。
【０１８７】
次に、本発明のさらに別の好ましい実施形態に従って構成され動作可能な、自動化されコンピュータ化された商業取引のためのシステムを示す簡素化されたブロック図である図８Ａを参照し、図８Ａのシステムの動作の工程を示す簡素化されたフローチャートである図８Ｂを参照する。
【０１８８】
図８Ａのシステム８００は、好ましくは、インターネット８０４に接続されたコンピュータサーバ８０２などの、適切なコンピューティングデバイス上に存在する。システム８００のユーザは一般的に、デスクトップもしくはラップトップコンピュータ、または移動通信デバイスなどのインターネット可能コンピューティングデバイス８０６を採用することによりインターネットを介してシステム８００にアクセスする。システム８００のユーザには一般的に、たとえば、販売対象の物品を出品登録する製品販売者が含まれる。
【０１８９】
システム８００は、好ましくは、クラウドソーシングによる製品カタログ８１４の多数の構造化された多言語のカタログ記載事項８１２に対応している多数の製品のいずれかに関連する製品の入手可能性に関するアラートを、システム８００のユーザが要求しかつ受信することを可能にするように動作可能な製品の入手可能性に関するアラート生成機能８１０を含む。製品の入手可能性に関するアラートは、好ましくは、多数のコンピュータ化されたマーケットプレイスに亘ることが理解される。
【０１９０】
システム８００はまた、好ましくは、多数のコンピュータ化されたマーケットプレイス８２５に亘るクラウドソーシングによる製品カタログ８１４のカタログ記載事項８１２に対応している多数の製品のいずれかに対する許容可能な価格を自動的に確認するように動作可能なコンピュータ化された価格の確認機能８２０を含む。システム８００は、好ましくは、製品の入手可能性に関するアラート生成機能８１０によって生成された製品の入手可能性に関するアラートが、事前に確認した製品に対する許容可能な価格を超えない価格における購入に対する製品の入手可能性を示す場合、クラウドソーシングによる製品カタログ８１４のカタログ記載事項８１２に対応している多数の製品の内の少なくとも１つに対する購入処理を自動的に実行するように動作可能なコンピュータ化された購入機能８３０をさらに含む。
【０１９１】
図８Ｂを参照すると、多数の製品のいずれかに関連し、かつ多数のコンピュータ化されたマーケットプレイスに亘る製品の入手可能性に関するアラートを、個人が要求しかつ受信することが示されている（８５０）。その後、製品に対する許容可能な価格が、多数のコンピュータ化されたマーケットプレイスに亘り、自動的に確かめられる（８５２）。事前に確認したその製品に対する許容可能な価格を超えない価格を有する製品の入手可能性を示す製品入手可能性に関するアラートの受信に応答して（８６０）、製品の購入処理が自動的に実行される（８６２）。
【０１９２】
次に、本発明のさらに別の好ましい実施形態に従って構成され動作可能な、自動化されコンピュータ化された商業取引のためのシステムを示す簡素化されたブロック図である図９Ａを参照し、図９Ａのシステムの動作の工程を示す簡素化されたフローチャートである図９Ｂを参照する。
【０１９３】
図９Ａのシステム９００は、好ましくは、インターネット９０４に接続されたコンピュータサーバ９０２などの、適切なコンピューティングデバイス上に存在する。システム９００のユーザは一般的に、デスクトップもしくはラップトップコンピュータ、または移動通信デバイスなどのインターネット可能コンピューティングデバイス９０６を採用することによりインターネットを介してシステム９００にアクセスする。システム９００のユーザには一般的に、たとえば、販売対象の物品を出品登録する製品販売者が含まれる。
【０１９４】
システム９００は、好ましくは、クラウドソーシングによる製品カタログ９１４の多数の構造化された多言語のカタログ記載事項９１２に対応している多数の製品のいずれかに関連する製品の需要に関するアラートを、システム９００のユーザが要求しかつ受信することを可能にするように動作可能な製品の需要に関するアラート生成機能９１０を含む。製品の入手可能性に関するアラートは、好ましくは、多数のコンピュータ化されたマーケットプレイスに亘ることが理解される。
【０１９５】
システム９００はまた、好ましくは、多数のコンピュータ化されたマーケットプレイスに亘るクラウドソーシングによる製品カタログ９１４のカタログ記載事項９１２に対応している多数の製品のいずれかに対する好ましい購入者および許容可能な価格の内の少なくとも１つを自動的に確認するように動作可能なコンピュータ化された価格／好ましい購入者の確認機能９２０を含む。
【０１９６】
システム９００は、好ましくは、製品の需要に関するアラート生成機能９１０によって生成された製品の需要に関するアラートが、コンピュータ化された価格／好ましい購入者の確認機能９２０によって確かめられたように事前に確認した製品に対する許容可能な価格以上の価格における製品に対する需要を示すか、または事前に規定された基準に合致する製品の好ましい購入者がコンピュータ化された価格／好ましい購入者の確認機能９２０によって特定される場合、クラウドソーシングによる製品カタログ９１４のカタログ記載事項９１２に対応している多数の製品の内の少なくとも１つに対する購入処理を自動的に実行するように動作可能なコンピュータ化された購入機能９３０をさらに含む。
【０１９７】
図９Ｂを参照すると、多数の製品のいずれかに関連し、かつ多数のコンピュータ化されたマーケットプレイスに亘る製品の需要に関するアラートを、個人が要求して受信することが示されている（９５０）。その後、製品に対する好ましい購入者および許容可能な価格が、多数のコンピュータ化されたマーケットプレイスに亘り、自動的に確かめられる（９５２）。事前に確認した製品に対する許容可能な価格以上の価格における製品に対する需要を示すか、または事前に規定された基準に合致する製品の購入者を示す製品の需要に関するアラートの受信に応答して（９６０）、製品の購入処理が自動的に実行される（９６２）。
【０１９８】
次に、本発明のさらに別の好ましい実施形態に従って構成され動作可能な、自動化されコンピュータ化された商業取引のためのシステムを示す簡素化されたブロック図である図１０Ａを参照し、図１０Ａのシステムの動作の工程を示す簡素化されたフローチャートである図１０Ｂを参照する。
【０１９９】
図１０Ａのシステム１０００は、好ましくは、インターネット１００４に接続されたコンピュータサーバ１００２などの、適切なコンピューティングデバイス上に存在する。システム１０００のユーザは一般的に、デスクトップもしくはラップトップコンピュータ、または移動通信デバイスなどのインターネット可能コンピューティングデバイス１００６を採用することによりインターネットを介してシステム１０００にアクセスする。システム１０００のユーザには一般的に、たとえば、販売対象の物品を出品登録する製品販売者が含まれる。
【０２００】
システム１０００は、好ましくは、クラウドソーシングによる製品カタログ１０１４の多数の構造化された多言語のカタログ記載事項１０１２に対応している多数の製品のいずれかに関連する製品の需要に関するアラートを、システム１０００のユーザが要求しかつ受信することを可能にするように動作可能な製品の需要に関するアラート生成機能１０１０を含む。
【０２０１】
システム１０００はまた、好ましくは、多数のコンピュータ化されたマーケットプレイスおよび通信チャンネル１０２５の内の少なくとも１つを介して製品の需要に関するアラート生成機能１０１０によって生成された製品の需要に関するアラートを発信するように動作可能なコンピュータ化された製品の需要に関するアラート発信機能１０２０を含む。コンピュータ化された製品の需要に関するアラート発信機能１０２０は、製品の需要に関するアラートを発信するために、米国特許公報第２０１２／０１０９７８６号に記載されているカタログのようなクラウドソーシングによる製品カタログを利用してもよいことが理解される。代替的には、製品の需要に関するアラートを発信するためのあらゆる適切な方法を利用してもよい。
【０２０２】
システム１０００は、好ましくは、システム１０００のユーザのいずれかがコンピュータ化されたマーケットプレイスおよび通信チャンネル１０２５の内の少なくとも１つを介して製品の需要に関するアラートに応答することを可能にするように動作可能なコンピュータ化された製品の需要に関するアラート利用機能１０３０をさらに含む。コンピュータ化された製品の需要に関するアラート利用機能１０３０は、個人が製品の需要に関するアラートに応答することを可能にするために、米国特許公報第２０１２／０１０９７８６号に記載されているカタログのようなクラウドソーシングによる製品カタログを利用してもよいことが理解される。代替的には、個人が製品の需要に関するアラートに応答することを可能にするためのあらゆる適切な方法を利用してもよい。
【０２０３】
図１０Ｂを参照すると、多数の製品のいずれかに関連し、かつ多数のコンピュータ化されたマーケットプレイスに亘る製品の需要に関するアラートを、個人が要求して受信することが示されている（１０５０）。その後、多数のコンピュータ化されたマーケットプレイスおよび通信チャンネルの内の少なくとも１つを介して製品の需要に関するアラートが発信される（１０６０）。その後、個人は多数のコンピュータ化されたマーケットプレイスおよび通信チャンネルの内の少なくとも１つを介して製品の需要に関するアラートに応答することができる（１０６２）。
【０２０４】
本発明が上記の本明細書に詳しく示し説明した内容に限定されないことは、当業者であれば理解するであろう。むしろ、本発明の範囲には、上述の説明を読んで当業者が発想し、かつ先行技術に存在しない、上述の様々な特徴の組み合わせおよび部分的組み合わせの両方、ならびにその修正が含まれる。
【図１Ａ】
2017520837.tif 000003
【図１Ｂ】
2017520837.tif 000004
【図２Ａ】
2017520837.tif 000005
【図２Ｂ】
2017520837.tif 000006
【図３Ａ】
2017520837.tif 000007
【図３Ｂ】
2017520837.tif 000008
【図４Ａ】
2017520837.tif 000009
【図４Ｂ】
2017520837.tif 000010
【図５Ａ】
2017520837.tif 000011
【図５Ｂ】
2017520837.tif 000012
【図６Ａ】
2017520837.tif 000013
【図６Ｂ】
2017520837.tif 000014
【図７Ａ】
2017520837.tif 000015
【図７Ｂ】
2017520837.tif 000016
【図８Ａ】
2017520837.tif 000017
【図８Ｂ】
2017520837.tif 000018
【図９Ａ】
2017520837.tif 000019
【図９Ｂ】
2017520837.tif 000020
【図１０Ａ】
2017520837.tif 000021
【図１０Ｂ】
2017520837.tif 000022
【国際調査報告】
2017520837.tif 000023
2017520837.tif 000024
2017520837.tif 000025
2017520837.tif 000026